(57)【要約】【課題】側方に空気を吹き出させることができる空気調和機の室内機の提供。【解決手段】空気調和機の室内機１０は、室内機本体１１と、上下風向調整羽根３０と、第１機構と、を備えている。室内機本体１１は、吹出口１５が形成されている室内機ケーシング１２を有する。上下風向調整羽根３０は、第１姿勢と、第２姿勢とを採ることが可能である。第１姿勢とは、上下風向調整羽根３０が吹出口１５を覆うように配置される姿勢のことである。第２姿勢とは、上下風向調整羽根３０が室内機本体１１の正面視において吹出口１５の開口面に対して傾斜するように配置される姿勢のことである。第１機構は、上下風向調整羽根３０が第１姿勢または第２姿勢を採るように、上下風向調整羽根３０の姿勢を変更することが可能である。【選択図】図１３
2011058793.tif 000002
【特許請求の範囲】
【請求項１】
吹出口（１５）が形成されているケーシング（１２）を有する本体（１１）と、
前記吹出口を覆うように配置される第１姿勢と、前記本体の正面視または下面視において前記吹出口の開口面に対して傾斜するように配置される第２姿勢とを採ることが可能な上下風向調整板（３０）と、
前記上下風向調整板が前記第１姿勢または前記第２姿勢を採るように、前記上下風向調整板の姿勢を変更することが可能な姿勢変更機構（５０）と、
を備える空気調和機の室内機（２）。
【請求項２】
前記姿勢変更機構は、前記上下風向調整板の形状を変化させずに前記上下風向調整板の姿勢を変更する、
請求項１に記載の空気調和機の室内機。
【請求項３】
前記上下風向調整板は、左右方向に延びており、
前記姿勢変更機構は、前記上下風向調整板の連結部（３２，３３）と連結している被移動部材（５７，６７）を含み前記連結部を移動させることが可能な移動機構（５１，６１）を有し、
前記移動機構は、前記上下風向調整板の姿勢を前記第２姿勢に変更する場合には、前記吹出口から前記上下風向調整板の左側端部（３０ｇ）の前端（３０ｃａ）までの距離と前記吹出口から前記上下風向調整板の右側端部（３０ｈ）の前端（３０ｃｂ）までの距離とが異なって配置されるように、前記連結部を移動させる、
請求項１または２に記載の空気調和機の室内機。
【請求項４】
前記移動機構は、前記上下風向調整板の姿勢を前記第２姿勢に変更する場合には、前記吹出口から前記左側端部の前端（３０ｃａ）までの距離と、前記吹出口から前記右側端部の前端（３０ｃｂ）までの距離と、前記吹出口から前記上下風向調整板の前記左側端部の後端（３０ｄａ）までの距離と、前記吹出口から前記上下風向調整板の前記右側端部の後端（３０ｄｂ）までの距離とがそれぞれ異なって配置されるように、前記連結部を移動可能である、
請求項３に記載の空気調和機の室内機。
【請求項５】
前記連結部は、
第１連結部（３２）と、
前記本体の正面視における左右方向において、前記第１連結部よりも左側または右側のいずれか一方に配置される第２連結部（３３）と、を含み、
前記被移動部材は、
前記第１連結部と連結している第１被移動部材（５７）と、
前記第２連結部と連結している第２被移動部材（６７）と、を含み、
前記移動機構は、
前記第１被移動部材を有し、前記上下風向調整板が前記吹出口近傍から迫り出されるように前記第１連結部を移動させることが可能な第１移動機構（５１）と、
前記第２被移動部材を有し、前記上下風向調整板が前記吹出口近傍から迫り出されるように前記第２連結部を移動させることが可能な第２移動機構（６１）と、を含み、
前記第１移動機構および前記第２移動機構の駆動量を制御する制御部（８５）を更に備える、
請求項３または４に記載の空気調和機の室内機。
【請求項６】
前記上下風向調整板は、左右方向に延びており、
前記姿勢変更機構は、前記上下風向調整板の第１連結部（３２）と連結しており前記上下風向調整板が前記吹出口近傍から迫り出されるように前記第１連結部を移動させることが可能な第１移動機構（５１）と、前記上下風向調整板の左右方向において前記第１連結部よりも左側または右側のいずれか一方に配置される第２連結部（３３）と連結しており前記上下風向調整板が前記吹出口近傍から迫り出されるように前記第２連結部を移動させることが可能な第２移動機構（６１）と、を有し、
前記第１移動機構および前記第２移動機構の駆動量を制御することで、前記吹出口の開口面に対する前記上下風向調整板の左右傾斜角度を調整する制御部（８５）を更に備える、
請求項１または２に記載の空気調和機の室内機。
【請求項７】
前記制御部は、前記第１移動機構と前記第２移動機構とをそれぞれ独立して制御可能である、
請求項５または６に記載の空気調和機の室内機。
【請求項８】
前記第１移動機構は、前記第１連結部をスライド移動させ、
前記第２移動機構は、前記第２連結部をスライド移動させる、
請求項５から７のいずれかに記載の空気調和機の室内機。
【請求項９】
前記上下風向調整板において前記第１連結部および前記第２連結部とは別の第３連結部（３４）と連結しており、前記吹出口の開口面に対する前記上下風向調整板の左右方向に直交する方向の傾斜角度が調整されるように前記第３連結部を移動可能な第３移動機構（７１）を更に備える、
請求項５から８のいずれかに記載の空気調和機の室内機。
【請求項１０】
前記第３連結部は、前記第１連結部と前記第２連結部とを結ぶ直線から離れた位置に配置されている、
請求項９に記載の空気調和機の室内機。
【請求項１１】
前記第１連結部、前記第２連結部および前記第３連結部は、前記第１連結部から前記第３連結部までの距離と前記第２連結部から前記第３連結部までの距離とが等しくなるようにそれぞれ配置されている、
請求項１０に記載の空気調和機の室内機。
【請求項１２】
前記第１移動機構および前記第２移動機構を駆動するための駆動源（５４，６４）は、前記ケーシング内に収納されている、
請求項５から１１のいずれかに記載の空気調和機の室内機。
【請求項１３】
前記駆動源は、前記第１移動機構を駆動させるための第１駆動源（５４）と、前記第１駆動源とは別の駆動源であって前記第２移動機構を駆動させるための第２駆動源（６４）とを含む、
請求項１２に記載の空気調和機の室内機。
【請求項１４】
前記上下風向調整板は、左右方向に延びており、
前記姿勢変更機構は、前記上下風向調整板の連結部（３２，３３）と連結している被移動部材（５７，６７）を含み前記連結部を移動させることが可能な移動機構（５１，６１）を有し、
前記移動機構は、前記上下風向調整板の姿勢を前記第２姿勢に変更する場合には、前記吹出口から前記上下風向調整板の左側端部（３０ｇ）までの距離と前記吹出口から前記上下風向調整板の右側端部（３０ｈ）までの距離とが異なって配置されるように、前記連結部を移動させる、
請求項１または２に記載の空気調和機の室内機（１０）。
【発明の詳細な説明】
【技術分野】
【０００１】
本発明は、空気調和機の室内機に関する。
【背景技術】
【０００２】
従来より、空気調和機の室内機には、調和空気が吹き出される空気の吹出口を開閉するための上下風向調整板を備えているものがある。また、このような空気調和機の室内機には、上下風向調整板が回転軸を中心に回動することで、吹出口の開口面に対する上下風向調整板の傾斜角度が調整されて、吹き出される空気の吹き出し方向を変更可能なものがある。
【０００３】
例えば、特許文献１（特開２００８−３９２５２号公報）に開示されている空気調和機は、吹出口を開閉するとともに吹き出し風の向きを変える上下風向変更羽根（上下風向調整板に相当）と、上下風向変更羽根の回転支持部（回転軸に相当）を回動自在に保持する腕部とを備えている。この空気調和機では、吹出口を覆うように配置されている上下風向変更羽根が、腕部によって吹出口の前方に移動された後、回転支持部を中心に回動されている。このようにして、この空気調和機では、吹き出される空気の上下方向の吹き出し方向を変更している。
【発明の概要】
【発明が解決しようとする課題】
【０００４】
ところで、例えば、室内機の側方に空調対象者が居る場合など、調和空気が室内機の側方に向かって吹き出されるように空調対象者から要求があった場合には、空調対象者の要求に応じて室内機の側方に向かって空気を吹き出させる必要がある。
【０００５】
そこで、本発明の課題は、側方に空気を吹き出させることができる空気調和機の室内機を提供することにある。
【課題を解決するための手段】
【０００６】
第１発明に係る空気調和機の室内機は、本体と、上下風向調整板と、姿勢変更機構と、を備えている。本体は、吹出口が形成されているケーシングを有する。上下風向調整板は、第１姿勢と、第２姿勢とを採ることが可能である。第１姿勢とは、上下風向調整板が吹出口を覆うように配置される上下風向調整板の姿勢のことである。第２姿勢とは、上下風向調整板が本体の正面視または下面視において吹出口の開口面に対して傾斜するように配置される上下風向調整板の姿勢のことである。姿勢変更機構は、上下風向調整板が第１姿勢または第２姿勢を採るように、上下風向調整板の姿勢を変更することが可能である。
【０００７】
第１発明に係る空気調和機の室内機では、本体の正面視または下面視において、上下風向調整板が吹出口の開口面に対して傾斜する姿勢を採るように、上下風向調整板の姿勢を変更することができる。このため、例えば、上下風向調整板が第２姿勢を採る場合には、吹出口の開口面に対して上下風向調整板を左右方向に傾斜して配置することができる。したがって、吹出口から吹き出される空気を、吹出口の開口面に対して左右方向に傾斜して配置されている上下風向調整板によって規制することができる。
【０００８】
これによって、側方に空気を吹き出させることができる。
【０００９】
第２発明に係る空気調和機の室内機は、第１発明の空気調和機の室内機であって、姿勢変更機構は、上下風向調整板の形状を変化させずに上下風向調整板の姿勢を変更する。このため、第１姿勢を採る上下風向調整板の形状を維持した状態で、上下風向調整板に第２姿勢を採らせることができる。
【００１０】
第３発明に係る空気調和機の室内機は、第１発明または第２発明の空気調和機の室内機であって、上下風向調整板は、左右方向に延びている。姿勢変更機構は、移動機構を有している。移動機構は、上下風向調整板の連結部と連結している被移動部材を含む。また、移動機構は、連結部を移動させることが可能である。さらに、移動機構は、上下風向調整板の姿勢を第２姿勢に変更する場合には、吹出口から上下風向調整板の左側端部の前端までの距離と、吹出口から上下風向調整板の右側端部の前端までの距離とが異なって配置されるように、連結部を移動させる。
【００１１】
第３発明に係る空気調和機の室内機では、吹出口から上下風向調整板の左側端部の前端までの距離と、吹出口から上下風向調整板の右側端部の前端までの距離とが異なって配置されるように、連結部を移動させることができる。このため、例えば、吹出口から上下風向調整板の左側端部の前端までの距離と吹出口から上下風向調整板の左側端部の後端までの距離とが等しく、吹出口から上下風向調整板の右側端部の前端までの距離と吹出口から上下風向調整板の右側端部の後端までの距離とが等しく、吹出口から上下風向調整板の左側端部の前端までの距離と吹出口から上下風向調整板の右側端部の前端までの距離とが異なるように連結部が移動された場合には、上下風向調整板を、吹出口の開口面に対して左右方向に傾斜して配置することができる。したがって、吹出口の開口面に対して左右方向に傾斜して配置されている上下風向調整板によって吹出口から吹き出される空気を規制することができる。
【００１２】
これによって、側方に空気を吹き出させることができる。
【００１３】
第４発明に係る空気調和機の室内機は、第３発明の空気調和機の室内機であって、移動機構は、上下風向調整板の姿勢を第２姿勢に変更する場合には、吹出口から左側端部の前端までの距離と、吹出口から右側端部の前端までの距離と、吹出口から上下風向調整板の左側端部の後端までの距離と、吹出口から上下風向調整板の右側端部の後端までの距離とがそれぞれ異なって配置されるように、連結部を移動可能である。このため、この空気調和機の室内機では、吹出口の開口面に対して上下風向調整板を前後方向および左右方向に傾斜して配置することができる。
【００１４】
第５発明に係る空気調和機の室内機は、第３発明または第４発明の空気調和機の室内機であって、連結部は、第１連結部と、第２連結部とを含む。第２連結部は、本体の正面視における左右方向において、第１連結部よりも左側または右側のいずれか一方に配置されている。被移動部材は、第１被移動部材と第２被移動部材とを含む。第１被移動部材は、第１連結部と連結している。第２被移動部材は、第２連結部と連結している。移動機構は、第１移動機構と、第２移動機構とを含む。第１移動機構は、第１被移動部材を有している。また、第１移動機構は、上下風向調整板が吹出口近傍から迫り出されるように、第１連結部を移動させることが可能である。第２移動機構は、第２被移動部材を有している。また、第２移動機構は、上下風向調整板が吹出口近傍から迫り出されるように、第２連結部を移動させることが可能である。さらに、第１移動機構および第２移動機構の駆動量を制御する制御部を更に備えている。
【００１５】
第５発明に係る空気調和機の室内機では、第１移動機構によって上下風向調整板の第１連結部が移動され、第２移動機構によって上下風向調整板の第２連結部が移動される。このため、この空気調和機の室内機では、少なくとも２つの移動機構によって、吹出口の開口面に対する上下風向調整板の位置を変更することができる。
【００１６】
第６発明に係る空気調和機の室内機は、第１発明または第２発明の空気調和機の室内機であって、制御部を更に備えている。また、上下風向調整板は、左右方向に延びている。さらに、姿勢変更機構は、第１移動機構と、第２移動機構と、を有する。第１移動機構は、上下風向調整板の第１連結部と連結している。また、第１移動機構は、上下風向調整板が吹出口近傍から迫り出されるように、第１連結部を移動させることが可能である。第２移動機構は、第２連結部と連結している。第２連結部は、上下風向調整の左右方向において、第１連結部よりも左側または右側のいずれか一方に配置されている。また、第２移動機構は、上下風向調整板が吹出口近傍から迫り出されるように、第２連結部を移動させることが可能である。制御部は、第１移動機構および第２移動機構の駆動量を制御することで、吹出口の開口面に対する上下風向調整板の左右傾斜角度を調整する。
【００１７】
第６発明に係る空気調和機の室内機では、第１移動機構および第２移動機構の駆動量を制御することで、吹出口の開口面に対する上下風向調整板の左右傾斜角度を調整することができる。このため、上下風向調整板を、吹出口の開口面に対して左右方向に傾斜して配置することができる。したがって、吹出口の開口面に対して左右方向に傾斜して配置されている上下風向調整板によって吹出口から吹き出される空気を規制することができる。
【００１８】
これによって、側方に空気を吹き出させることができる。
【００１９】
第７発明に係る空気調和機の室内機は、第５発明または第６発明の空気調和機の室内機であって、制御部は、第１移動機構と第２移動機構とをそれぞれ独立して制御可能である。このため、この空気調和機の室内機では、第１移動機構と第２移動機構とを独立して制御することができる。
【００２０】
第８発明に係る空気調和機の室内機は、第５発明から第７発明のいずれかの空気調和機の室内機であって、第１移動機構は、第１連結部をスライド移動させる。また、第２移動機構は、第２連結部をスライド移動させる。このため、この空気調和機の室内機では、第１連結部および第２連結部をスライド移動させることができる。
【００２１】
第９発明に係る空気調和機の室内機は、第５発明から第８発明のいずれかの空気調和機の室内機であって、第３連結部と連結している第３移動機構を更に備えている。第３連結部は、上下風向調整板において、第１連結部および第２連結部とは別の連結部である。また、第３移動機構は、吹出口の開口面に対する上下風向調整板の左右方向に直交する方向の傾斜角度が調整されるように、第３連結部を移動可能である。
【００２２】
第９発明に係る空気調和機の室内機では、吹出口の開口面に対する上下風向調整板の左右方向に直交する方向の傾斜角度が調整されるように第３連結部を移動可能である。このため、例えば、吹出口の開口面に対する上下風向調整板の左右方向の傾斜角度のみが調整可能である場合と比較して、吹出口の開口面に対する上下風向調整板の傾斜角度の調整可能な範囲を広げることができる。
【００２３】
これによって、吹出口から吹き出される空気が向かう方向の種類を多くすることができる。
【００２４】
第１０発明に係る空気調和機の室内機は、第９発明の空気調和機の室内機であって、第３連結部は、第１連結部と第２連結部とを結ぶ直線から離れた位置に配置されている。このため、この空気調和機の室内機では、第１連結部、第２連結部および第３連結部の位置を決定することで、吹出口の開口面に対する上下風向調整板の傾斜角度を決定することができる。
【００２５】
第１１発明に係る空気調和機の室内機は、第１０発明の空気調和機の室内機であって、第１連結部、第２連結部および第３連結部は、第１連結部から第３連結部までの距離と、第２連結部から第３連結部までの距離とが等しくなるようにそれぞれ配置されている。このため、例えば、第１連結部から第３連結部までの距離と、第２連結部から第３連結部までの距離とが異なるように配置されている場合と比較して、上下風向調整板の姿勢を安定させやすくすることができる。
【００２６】
第１２発明に係る空気調和機の室内機は、第５発明から第１１発明のいずれかの空気調和機の室内機であって、第１移動機構および第２移動機構を駆動するための駆動源は、ケーシング内に収納されている。このため、この空気調和機の室内機では、駆動源が目立つおそれを減らすことができる。
【００２７】
第１３発明に係る空気調和機の室内機は、第１２発明の空気調和機の室内機であって、駆動源は、第１移動機構を駆動させるための第１駆動源と、第２移動機構を駆動させるための第２駆動源とを含む。このため、第１移動機構および第２移動機構をそれぞれ別の駆動源によって駆動させることができる。
【００２８】
第１４発明に係る空気調和機の室内機は、第１発明または第２発明の空気調和機の室内機であって、上下風向調整板は、左右方向に延びている。また、姿勢変更機構は、移動機構を有する。移動機構は、上下風向調整板の連結部と連結している被移動部材を含む。また、移動機構は、連結部を移動させることが可能である。さらに、移動機構は、上下風向調整板の姿勢を第２姿勢に変更する場合には、吹出口から上下風向調整板の左側端部までの距離と、吹出口から上下風向調整板の右側端部までの距離とが異なって配置されるように、連結部を移動させる。
【００２９】
第１４発明に係る空気調和機の室内機では、吹出口から上下風向調整板の左側端部までの距離と、吹出口から上下風向調整板の右側端部までの距離とが異なって配置されるように、連結部を移動させることができる。このため、上下風向調整板を吹出口の開口面に対して左右方向に傾斜させて配置することができる。したがって、吹出口から吹き出される空気を、吹出口の開口面に対して左右方向に傾斜して配置されている上下風向調整板によって規制することができる。
【００３０】
これによって、側方に空気を吹き出させることができる。
【発明の効果】
【００３１】
第１発明に係る空気調和機の室内機では、側方に空気を吹き出させることができる。
【００３２】
第２発明に係る空気調和機の室内機では、第１姿勢を採る上下風向調整板の形状を維持した状態で、上下風向調整板に第２姿勢を採らせることができる。
【００３３】
第３発明に係る空気調和機の室内機では、側方に空気を吹き出させることができる。
【００３４】
第４発明に係る空気調和機の室内機では、吹出口の開口面に対して上下風向調整板を前後方向および左右方向に傾斜して配置することができる。
【００３５】
第５発明に係る空気調和機の室内機では、少なくとも２つの移動機構によって吹出口に対する上下風向調整板の位置を変更することができる。
【００３６】
第６発明に係る空気調和機の室内機では、側方に空気を吹き出させることができる。
【００３７】
第７発明に係る空気調和機の室内機では、第１移動機構と第２移動機構とを独立して制御することができる。
【００３８】
第８発明に係る空気調和機の室内機では、第１連結部および第２連結部をスライド移動させることができる。
【００３９】
第９発明に係る空気調和機の室内機では、吹出口から吹き出される空気の向かう方向の種類を多くすることができる。
【００４０】
第１０発明に係る空気調和機の室内機では、吹出口の開口面に対する上下風向調整板の傾斜角度を決定することができる。
【００４１】
第１１発明に係る空気調和機の室内機では、上下風向調整板の姿勢を安定させやすくすることができる。
【００４２】
第１２発明に係る空気調和機の室内機では、駆動源が目立つおそれを減らすことができる。
【００４３】
第１３発明に係る空気調和機の室内機では、第１移動機構および第２移動機構をそれぞれ別の駆動源によって駆動させることができる。
【００４４】
第１４発明に係る空気調和機の室内機では、側方に空気を吹き出させることができる。
【図面の簡単な説明】
【００４５】
【図１】本発明の実施形態に係る室内機を備える空気調和機の概略冷媒回路図。
【図２】上下風向調整羽根の状態が閉状態である場合の室内機の斜視図。
【図３】上下風向調整羽根の状態が第４開状態である場合の室内機の斜視図。
【図４】上下風向調整羽根の状態が第５開状態である場合の室内機の斜視図。
【図５】上下風向調整羽根の平面図。
【図６】上下風向調整羽根の断面図（図５のVI-VI断面に相当）。
【図７】上下風向調整羽根において、（ａ）左側第１連結部近傍の斜視図、（ｂ）左側第１連結部近傍の断面を示す概念図。
【図８】上下風向調整羽根の外観斜視図。
【図９】上下風向調整羽根の状態が第１開状態である場合の上下風向調整羽根および第１機構の平面図であって、上下風向調整羽根と第１機構との位置関係を示す概念図。
【図１０】上下風向調整羽根が閉状態である場合の吹出口近傍の概略斜視図。
【図１１】上下風向調整羽根が第１開状態である場合の吹出口近傍の概略斜視図。
【図１２】吹出口近傍の側面図であって、上下風向調整羽根が第２開状態である場合の概念図。
【図１３】上下風向調整羽根が第３開状態である場合の室内機の正面図。
【図１４】上下風向調整羽根が第３開状態である場合の室内機の斜視図。
【図１５】上下風向調整羽根が第４開状態である場合の吹出口近傍の概略斜視図。
【図１６】上下風向調整羽根が第５開状態である場合の吹出口近傍の概略斜視図。
【図１７】上下風向調整羽根が第７開状態である場合の室内機の正面図。
【図１８】上下風向調整羽根が第７開状態である場合の室内機の斜視図。
【図１９】空気調和機の備える制御部の制御ブロック図である。
【図２０】変形例（Ａ）に係る室内機の外観斜視図。
【図２１】変形例（Ａ）に係る室内機において、上下風向調整羽根および側方遮蔽部材が閉状態である場合の（ａ）左側方遮蔽部材近傍の正面図、（ｂ）左側方遮蔽部材近傍の斜視図。
【図２２】変形例（Ａ）に係る室内機において、上下風向調整羽根が第４開状態であって側方遮蔽部材が閉状態である場合の（ａ）左側方遮蔽部材近傍の正面図、（ｂ）左側方遮蔽部材近傍の斜視図。
【図２３】変形例（Ａ）に係る室内機において、上下風向調整羽根が第４開状態であって側方遮蔽部材が開状態である場合の（ａ）左側方遮蔽部材近傍の正面図、（ｂ）左側方遮蔽部材近傍の斜視図。
【図２４】変形例（Ｄ）に係る室内機の備える上下風向調整羽根において、（ａ）第１連結部近傍の斜視図、（ｂ）第１連結部近傍の断面を示す概念図。
【発明を実施するための形態】
【００４６】
以下、図面を参照しながら本発明の一実施形態に係る室内機１０を備える空気調和機１について説明する。なお、以下の実施形態は、本発明の具体例であって、本発明の技術的範囲を限定するものではない。
【００４７】
＜空気調和機の構成概略＞
図１は、空気調和機１の概略冷媒回路図である。図２は、上下風向調整羽根３０の状態が閉状態である場合の室内機１０の斜視図である。図３は、上下風向調整羽根３０の状態が第４開状態である場合の室内機１０の斜視図である。図４は、上下風向調整羽根３０の状態が第５開状態である場合の室内機１０の斜視図である。
【００４８】
空気調和機１は、室内の壁面に取り付けられる室内機１０と、室外に設置される室外機２とを備えており、冷房運転および暖房運転等の各種運転を実行することができる。
【００４９】
室外機２は、圧縮機３と、圧縮機３の吐出側に接続されている四路切換弁４と、圧縮機３の吸入側に接続されるアキュムレータ５と、四路切換弁４に接続されている室外熱交換器６と、室外熱交換器６に接続された室外膨張弁７とを有している。室外膨張弁７は、冷媒配管８を介して後述する室内熱交換器１３の一端と接続される。また、四路切換弁４は、冷媒配管８を介して室内熱交換器１３の他端と接続されている。また、室外機２内には、室外ファン９が設けられている。室外ファン９は、室外の空気を取り込み、室外熱交換器６での熱交換後の空気を室外機２外部に排出するプロペラファンである。
【００５０】
室内機１０は、上述のように、室内の壁面等に取り付けられる壁掛け型の室内機１０である。また、室内機１０は、図２、図３および図４に示すように、主として、室内機本体１１と、上下風向調整羽根３０と、第１機構５０とを備えている。以下に、室内機本体１１、上下風向調整羽根３０、第１機構５０の順に説明する。
【００５１】
＜室内機本体の構成＞
室内機本体１１は、主に、室内機ケーシング１２と、室内熱交換器１３と、室内ファン１４と、垂直羽根１９（図１９参照）とを備えている。
【００５２】
室内機ケーシング１２は、水平方向に長い略直方形状の部材である。また、室内機ケーシング１２には、室内熱交換器１３、室内ファン１４、および、垂直羽根１９等が収納されている。さらに、室内機ケーシング１２には、取込口１８と、吹出口１５とが形成されている。取込口１８は、室内の空気を室内機ケーシング１２の内側に取り込むための開口であって、室内機ケーシング１２の上部に形成されている。
【００５３】
また、吹出口１５は、室内機本体１１内で調和された空気を吹き出すための開口であって、室内機１０の下部に形成されている。具体的には、吹出口１５は、室内機ケーシング１２の底面から両側面にかけて連続して形成されている。このため、吹出口１５は、室内機１０の側面視において、その一部を視認可能である。
【００５４】
室内熱交換器１３は、長手方向両端で複数回折り返されてなる伝熱管と、伝熱管に挿通される複数のフィンとからなり、接触する空気との間で熱交換を行う。また、室内熱交換器１３は、暖房運転時には凝縮器として機能し、冷房運転時には蒸発器として機能する。
【００５５】
室内ファン１４は、モータ１４ａ（図１参照）と、モータ１４ａにより回転駆動される羽根車とを有するクロスフローファンである。また、室内ファン１４は、取込口１８から室内機ケーシング１２内に空気を吸入し、室内熱交換器１３を通過させた後に、吹出口１５から室内機ケーシング１２外に空気を吹き出すことができるように配置されている。
【００５６】
垂直羽根１９は、駆動モータ（図示せず）と、連結棒（図示せず）と、連結棒によって連結された複数枚の羽根（図示せず）とを有しており、揺動可能なように室内機ケーシング１２に取り付けられている。また、複数枚の羽根の面は、駆動モータによって連結棒が駆動されることで、室内機ケーシング１２の長手方向に対して垂直な状態を中心に左右に揺動する。さらに、羽根は、揺動することにより、または、揺動した後に任意の角度で止まることで、室内機１０の左右方向における調和空気の吹き出し方向を調整する。
【００５７】
＜上下風向調整羽根の構成＞
図５は、上下風向調整羽根３０の平面図である。図６は、上下風向調整羽根３０の断面図である。図７（ａ）は、上下風向調整羽根３０の斜視図であって、左側第１連結部３２近傍の部分拡大図である。図７（ｂ）は、上下風向調整羽根３０の断面図であって、左側第１連結部３２近傍の概念図である。図８は、上下風向調整羽根３０の外観斜視図である。図９は、上下風向調整羽根３０の状態が第１開状態である場合の上下風向調整羽根３０および第１機構５０の平面図であって、上下風向調整羽根３０と第１機構５０との位置関係を示す概念図である。図１０は、上下風向調整羽根３０が閉状態である場合の吹出口１５近傍の概略斜視図である。図１１は、上下風向調整羽根３０が第１開状態である場合の吹出口１５近傍の概略斜視図である。図１２は、吹出口１５近傍の側面図であって、上下風向調整羽根３０が第２開状態である場合の概念図である。図１３は、上下風向調整羽根３０が第３開状態である場合の室内機１０の正面図である。図１４は、上下風向調整羽根３０が第３開状態である場合の室内機１０の斜視図である。図１５は、上下風向調整羽根３０が第４開状態である場合の吹出口１５近傍の概略斜視図である。図１６は、上下風向調整羽根３０が第５開状態である場合の吹出口１５近傍の概略斜視図である。図１７は、上下風向調整羽根３０が第７開状態である場合の室内機１０の正面図である。図１８は、上下風向調整羽根３０が第７開状態である場合の室内機１０の斜視図である。また、ここでいう室内機１０の左右方向とは、図１３の矢印Ｙ１で示すように、水平方向に平行な方向のことである。さらに、ここでいう室内機１０の前後方向とは、図１２の矢印Ｙ２で示すように、室内機１０の厚さ方向に平行な方向のことである。
【００５８】
上下風向調整羽根３０は、室内機１０の長手方向に長い板状の部材である。言い換えると、上下風向調整羽根３０は、室内機１０の左右方向Ｙ２に延びている。また、上下風向調整羽根３０は、室内機１０の下部に配置されている。具体的には、上下風向調整羽根３０は、吹出口１５において、室内機ケーシング１２の底面に形成されている開口部分近傍に配置されている。
【００５９】
さらに、上下風向調整羽根３０は、後述する第１機構５０と連結する連結部３２，３３，３４を有する。連結部３２，３３，３４は、上下風向調整羽根３０において、上下風向調整羽根３０が吹出口１５を覆っている状態で、室内機１０の外部から視認することができる面（以下、外側面３０ｂという）とは反対側の面（以下、内側面３０ａという）に配置されている。また、連結部３２，３３，３４は、第１連結部３２，３３と、第２連結部３４とを含む。
【００６０】
第１連結部３２，３３は、図５に示すように、上下風向調整羽根３０において互いに離れた２箇所に配置されている。具体的には、第１連結部３２，３３は、図５および図９に示すように、上下風向調整羽根３０の両端部３０ｇ，３０ｈ近傍であって、上下風向調整羽根３０の一方の長辺（以下、第１長辺３０ｃという）近傍にそれぞれ配置されている。なお、本実施形態では、第１連結部３２，３３において、上下風向調整羽根３０の端部３０ｇ近傍に配置されている第１連結部を特に左側第１連結部３２といい、上下風向調整羽根３０の端部３０ｈ近傍に配置されている第１連結部を特に右側第１連結部３３という。
【００６１】
第２連結部３４は、図５および図９に示すように、上下風向調整羽根３０の長手方向の略中央付近であって、上下風向調整羽根３０の第１長辺３０ｃに対向する辺である第２長辺３０ｄ近傍に配置されている。具体的には、第２連結部３４は、上下風向調整羽根３０において、２箇所の第１連結部３２，３３を結ぶ直線から離れた位置であって、第１連結部３２から第２連結部３４までの距離と、第１連結部３３から第２連結部３４までの距離とがそれぞれ等しくなるように配置されている。このため、第２連結部３４は、上下風向調整羽根３０において、２箇所の第１連結部３２，３３を結んだ直線と直交する直線のうちの第１連結部３２，３３を結んだ線分の中間点を通る直線上であって、前記中間点以外の部分に配置されている。
【００６２】
また、第１連結部３２，３３および第２連結部３４は、図６および図９に示すように、それぞれ軸支部３２ａ，３３ａ，３４ａを含む。各軸支部３２ａ，３３ａ，３４ａは、後述する支持軸５７，６７，７８を回転可能に軸支している。
【００６３】
さらに、各軸支部３２ａ，３３ａ，３４ａの軸受面は、各支持軸５７，６７，７８端部の水平方向に交差する方向への移動を許容するテーパ形状を有している。例えば、支持軸５７の軸受面３２ｂは、図７（ｂ）に示すように、軸支部３２ａの中央部から端部に向かう方向へ向けて拡径しており、軸受面３２ｂの一部が支持軸５７に当接して支持軸５７を水平方向に交差する方向に摺動自在に支持している。
【００６４】
さらに、上下風向調整羽根は、８つの状態（閉状態、第１開状態、第２開状態、第３開状態、第４開状態、第５開状態、第６開状態、第７開状態）を採ることが可能である。なお、以下より、説明の便宜上、吹出口１５において、上下風向調整羽根３０の状態が閉状態である場合に風向調整羽根３０によって覆われる部分、すなわち、上下風向調整羽根３０の状態が閉状態である場合に上下風向調整羽根３０の配置されている空間を、吹出口１５の第１部分１６という。また、本実施形態では、吹出口１５の第１部分１６の略全体が上下風向調整羽根３０によって覆われている状態を吹出口１５の第１部分１６が遮蔽されている状態とし、吹出口１５の第１部分１６の略全体が上下風向調整羽根３０によって覆われていない状態を、吹出口１５の第１部分１６が開放されている状態とする。
【００６５】
上下風向調整羽根３０の状態が閉状態（第１姿勢に相当）の場合、図１０に示すように、上下風向調整羽根３０は、吹出口１５の第１部分１６を覆うように配置される。このため、上下風向調整羽根３０の状態が閉状態の場合には、上下風向調整羽根３０によって吹出口１５の第１部分１６が遮蔽される。
【００６６】
上下風向調整羽根３０の状態が第１開状態の場合、上下風向調整羽根３０は、吹出口１５の第１部分１６を開放し、かつ、吹出口１５の第１部分１６から室内機１０の前方および左右両側方に向かって空気が吹き出されるように配置される。具体的には、上下風向調整羽根３０は、図１１に示すように、吹出口１５の第１部分１６、すなわち、吹出口１５において第１部分１６に相当する開口面に対して略平行に対向するように配置される。言い換えると、室内機１０の左右方向Ｙ１に平行な方向である吹出口１５の第１部分１６の長手方向を吹出口１５の第１部分１６の左右方向とし室内機１０の前後方向Ｙ２に略平行な方向である吹出口１５の第１部分１６の長手方向に交差する方向を吹出口１５の第１部分１６の前後方向とすると、上下風向調整羽根３０は、図１１に示すように、吹出口１５において第１部分１６に相当する開口面に対して、左右方向および前後方向に対して傾斜しないように配置されている。このため、上下風向調整羽根３０において吹出口１５の第１部分１６の前後方向の後側に近い側の端部、すなわち、上下風向調整羽根３０の第２長辺３０ｄを含む端部（以下、後側端部３０ｅという）から吹出口１５の第１部分１６までの距離と、上下風向調整羽根３０において後側端部３０ｅに対向する端部（以下、前側端部３０ｆという）から吹出口１５の第１部分１６までの距離とが、等しくなるように配置されている。したがって、上下風向調整羽根３０が第１開状態の場合には、吹出口１５の第１部分１６から後側端部３０ｅの各端点３０ｄａ，３０ｄｂまでの距離、吹出口１５の第１部分１６から前側端部３０ｆの各端点３０ｃａ，３０ｃｂまでの距離、および、吹出口１５の第１部分１６から後側端部３０ｅの端点３０ｄａ，３０ｄｂまでの距離と吹出口１５の第１部分１６から前側端部３０ｆの端点３０ｃａ，３０ｃｂまでの距離とが、それぞれ等しくなる。
【００６７】
したがって、上下風向調整羽根３０が第１開状態の場合には、室内機１０の前方および左右両側方に向かう空気流を形成することができる。
【００６８】
なお、上述の前側端部３０ｆとは、上下風向調整羽根３０において吹出口１５の第１部分１６の前後方向の前側に近い側の端部であって、上下風向調整羽根３０の第１長辺３０ｃを含む端部のことである。また、以下より、説明の便宜上、前側端部３０ｆの端点３０ｃａを第１端点といい、前側端部３０ｆの端点３０ｃｂを第２端点といい、後側端部３０ｅの端点３０ｄａを第３端点といい、後側端部３０ｅの端点３０ｄｂを第４端点という。
【００６９】
上下風向調整羽根３０の状態が第２開状態（第２姿勢に相当）の場合、上下風向調整羽根３０は、吹出口１５の第１部分１６を開放し、かつ、吹出口１５の第１部分１６から室内機１０の前方および右側方に向かって空気が吹き出されるように配置される。具体的には、上下風向調整羽根３０は、図１２に示すように、吹出口１５の第１部分１６、すなわち、吹出口１５において第１部分１６に相当する開口面に対して左右方向に傾斜して配置される。より具体的には、後側端部３０ｅは吹出口１５の第１部分１６に相当する開口面に対して左上がりに傾斜して配置され、前側端部３０ｆは吹出口１５の第１部分１６に相当する開口面に対して左上がりに傾斜して配置される。言い換えると、上下風向調整羽根３０は、吹出口１５の第１部分１６から上下風向調整羽根３０の左側端部３０ｇまでの距離が、吹出口１５の第１部分１６から上下風向調整羽根３０の右側端部３０ｈまでの距離よりも小さくなるように配置される。このため、上下風向調整羽根３０が第２開状態の場合には、吹出口１５の第１部分１６から第３端点３０ｄａまでの距離が、吹出口１５の第１部分１６から第４端点３０ｄｂまでの距離よりも小さくなり、吹出口１５の第１部分１６から第１端点３０ｃａまでの距離が、吹出口１５の第１部分１６から第２端点３０ｃｂまでの距離よりも小さくなる。
【００７０】
したがって、上下風向調整羽根３０が第２開状態の場合には、室内機１０の前方および右側方に向かう空気流を形成することができる。
【００７１】
上下風向調整羽根３０の状態が第３開状態（第２姿勢に相当）の場合、上下風向調整羽根３０は、吹出口１５の第１部分１６を開放し、かつ、吹出口１５の第１部分１６から室内機１０の前方および左側方に向かって空気が吹き出されるように配置される。具体的には、上下風向調整羽根３０は、図１３および図１４に示すように、吹出口１５の第１部分１６、すなわち、吹出口１５において第１部分１６に相当する開口面に対して左右方向に傾斜して配置される。より具体的には、後側端部３０ｅは吹出口１５の第１部分１６に相当する開口面に対して右上がりに傾斜して配置され、前側端部３０ｆは吹出口１５の第１部分１６に相当する開口面に対して右上がりに傾斜して配置される。言い換えると、上下風向調整羽根３０は、吹出口１５の第１部分１６から上下風向調整羽根３０の左側端部３０ｇまでの距離が、吹出口１５の第１部分１６から上下風向調整羽根３０の右側端部３０ｈまでの距離よりも大きくなるように配置される。このため、上下風向調整羽根３０が第３開状態の場合には、吹出口１５の第１部分１６から第３端点３０ｄａまでの距離が、吹出口１５の第１部分１６から第４端点３０ｄｂまでの距離よりも大きくなり、吹出口１５の第１部分１６から第１端点３０ｃａまでの距離が、吹出口１５の第１部分１６から第２端点３０ｃｂまでの距離よりも大きくなる。
【００７２】
したがって、上下風向調整羽根３０が第３開状態の場合には、室内機１０の前方および左側方に向かう空気流を形成することができる。
【００７３】
上下風向調整羽根３０の状態が第４開状態の場合、上下風向調整羽根３０は、吹出口１５の第１部分１６を開放し、かつ、吹出口１５の第１部分１６から室内機１０の前方に向かって空気が吹き出されるように配置される。具体的には、上下風向調整羽根３０は、図３および図１５に示すように、吹出口１５において第１部分１６に相当する開口面に対して前後方向に所定角度だけ傾斜して配置される。より具体的には、吹出口１５の第１部分１６から後側端部３０ｅまでの距離が、吹出口１５の第１部分１６から前側端部３０ｆまでの距離よりも小さくなるように、上下風向調整羽根３０が傾斜して配置される。また、左側端部３０ｇが吹出口１５の第１部分１６に相当する開口面に対して後方に傾斜して配置され、右側端部３０ｈが吹出口１５の第１部分１６に相当する開口面に対して後方に傾斜して配置される。このため、上下風向調整羽根３０が第４開状態の場合には、吹出口１５の第１部分１６から第３端点３０ｄａまでの距離と、吹出口１５の第１部分１６から第４端点３０ｄｂまでの距離とは等しくなる。また、上下風向調整羽根３０が第４開状態の場合には、吹出口１５の第１部分１６から第１端点３０ｃａまでの距離と、吹出口１５の第１部分１６から第２端点３０ｃｂまでの距離とは等しくなる。さらに、上下風向調整羽根３０が第４開状態の場合には、吹出口１５の第１部分１６から第３端点３０ｄａまたは第４端点３０ｄｂまでの距離が、吹出口１５の第１部分１６から第１端点３０ｃａまたは第２端点３０ｃｂまでの距離よりも小さくなる。
【００７４】
また、上下風向調整羽根３０の状態が第４開状態である場合、上下風向調整羽根３０は、吹出口１５において第１部分１６に相当する開口面に対して前後方向に傾斜して配置されている。このため、上下風向調整羽根３０の状態が第４開状態である場合には、上下風向調整羽根３０の状態が第１開状態である場合と比較して、室内機１０の下方に向かう空気流が形成される。このため、以下より、上下風向調整羽根３０の状態が第４開状態である場合に吹出口１５から吹き出された空気が向かう方向を前側下方といい、上下風向調整羽根３０の状態が第１開状態である場合に吹出口１５から吹き出された空気が向かう方向を前側上方という。
【００７５】
上下風向調整羽根３０の状態が第５開状態の場合、上下風向調整羽根３０は、吹出口１５の第１部分１６を開放し、かつ、吹出口１５の第１部分１６から室内機１０の下方に空気が吹き出されるように配置される。具体的には、上下風向調整羽根３０は、図４および図１６に示すように、吹出口１５において第１部分１６に相当する開口面に対して前後方向に所定角度だけ傾斜して配置される。より具体的には、吹出口１５の第１部分１６から前側端部３０ｆまでの距離が、吹出口１５の第１部分１６から後側端部３０ｅまでの距離よりも小さくなるように、上下風向調整羽根３０が傾斜して配置される。また、左側端部３０ｇが吹出口１５の第１部分１６に相当する開口面に対して後方に傾斜して配置され、右側端部３０ｈが吹出口１５の第１部分１６に相当する開口面に対して後方に傾斜して配置される。このため、上下風向調整羽根３０が第５開状態の場合には、吹出口１５の第１部分１６から第３端点３０ｄａまでの距離と、吹出口１５の第１部分１６から第４端点３０ｄｂまでの距離とは等しくなる。また、上下風向調整羽根３０が第５開状態の場合には、吹出口１５の第１部分１６から第１端点３０ｃａまでの距離と、吹出口１５の第１部分１６から第２端点３０ｃｂまでの距離とは等しくなる。さらに、上下風向調整羽根３０が第５開状態の場合には、吹出口１５の第１部分１６から第３端点３０ｄａまたは第４端点３０ｄｂまでの距離が、吹出口１５の第１部分１６から第１端点３０ｃａまたは第２端点３０ｃｂまでの距離よりも大きくなる。
【００７６】
したがって、上下風向調整羽根３０が第５開状態の場合には、室内機１０の下方に向かう空気流を形成することができる。また、上下風向調整羽根３０が第５開状態の場合には、室内機１０の正面視において、上下風向調整羽根３０の外側面３０ｂが視認可能である。
【００７７】
上下風向調整羽根３０の状態が第６開状態（第２姿勢に相当）の場合、上下風向調整羽根３０は、吹出口１５の第１部分１６を開放し、かつ、吹出口１５の第１部分１６から室内機１０の下方および右側方に向かって空気が吹き出されるように配置される。具体的には、上下風向調整羽根３０は、吹出口１５の第１部分１６、すなわち、吹出口１５において第１部分１６に相当する開口面に対して左右方向に傾斜して配置される。より具体的には、吹出口１５の第１部分１６から前側端部３０ｆまでの距離が、吹出口１５の第１部分１６から後側端部３０ｅまでの距離よりも小さくなるように、上下風向調整羽根３０が傾斜して配置される。また、後側端部３０ｅは吹出口１５の第１部分１６に相当する開口面に対して左上がりに傾斜して配置されており、前側端部３０ｆは吹出口１５の第１部分１６に相当する開口面に対して左上がりに傾斜して配置される。このため、上下風向調整羽根３０が第６開状態の場合には、吹出口１５の第１部分１６から第３端点３０ｄａまでの距離が、吹出口１５の第１部分１６から第４端点３０ｄｂまでの距離よりも小さくなる。また、上下風向調整羽根３０が第６開状態の場合には、吹出口１５の第１部分１６から第１端点３０ｃａまでの距離が、吹出口１５の第１部分１６から第２端点３０ｃｂまでの距離よりも小さくなる。
【００７８】
したがって、上下風向調整羽根３０が第６開状態の場合には、室内機１０の下方および右側方に向かう空気流を形成することができる。
【００７９】
上下風向調整羽根３０の状態が第７開状態（第２姿勢に相当）の場合、上下風向調整羽根３０は、吹出口１５の第１部分１６を開放し、かつ、吹出口１５の第１部分１６から室内機１０の下方および左側方に向かって空気が吹き出されるように配置される。具体的には、上下風向調整羽根３０は、図１７および図１８に示すように、吹出口１５の第１部分１６、すなわち、吹出口１５において第１部分１６に相当する開口面に対して左右方向に傾斜して配置される。より具体的には、吹出口１５の第１部分１６から前側端部３０ｆまでの距離が、吹出口１５の第１部分１６から後側端部３０ｅまでの距離よりも小さくなるように、上下風向調整羽根３０が傾斜して配置される。また、後側端部３０ｅは吹出口１５の第１部分１６に相当する開口面に対して右上がりに傾斜して配置されており、前側端部３０ｆは吹出口１５の第１部分１６に相当する開口面に対して右上がりに傾斜して配置される。このため、上下風向調整羽根３０が第７開状態の場合には、吹出口１５の第１部分１６から第３端点３０ｄａまでの距離が、吹出口１５の第１部分１６から第４端点３０ｄｂまでの距離よりも大きくなる。また、上下風向調整羽根３０が第７開状態の場合には、吹出口１５の第１部分１６から第１端点３０ｃａまでの距離が、吹出口１５の第１部分１６から第２端点３０ｃｂまでの距離よりも大きくなる。
【００８０】
したがって、上下風向調整羽根３０が第７開状態の場合には、室内機１０の下方および左側方に向かう空気流を形成することができる。
【００８１】
なお、上下風向調整羽根３０は、その状態が閉状態、第１開状態、第２開状態、第３開状態、第４開状態、第５開状態、第６開状態あるいは第７開状態のうちのいずれの状態であっても、その形状は変化しない。例えば、上下風向調整羽根３０が閉状態であるときの上下風向調整羽根３０の形状と、上下風向調整羽根３０が第３開状態であるときの上下風向調整羽根３０の形状とは、同一である。
【００８２】
＜第１機構の構成＞
第１機構５０は、吹出口１５の第１部分１６が覆われている状態から吹出口１５の第１部分１６が開放されている状態となるように、上下風向調整羽根３０を移動させるための機構である。また、第１機構５０は、吹出口１５において第１部分１６に相当する開口面に対する第１連結部３２，３３および第２連結部３４の位置を変更することで、上下風向調整羽根３０の状態を切り換えることができる。なお、第１機構５０は、上下風向調整羽根３０の形状を変化させずに上下風向調整羽根３０の状態を切り換えることができる。
【００８３】
また、第１機構５０は、迫り出し機構５１，６１と、角度調整機構７１とを有している。
【００８４】
迫り出し機構５１，６１は、上下風向調整羽根３０が吹出口１５近傍から迫り出されるように、上下風向調整羽根３０と迫り出し機構５１，６１とが連結されている部分である第１連結部３２，３３をそれぞれスライド移動させることができる。具体的には、迫り出し機構５１，６１は、それぞれの第１連結部３２，３３が吹出口１５に近接または離反するように、第１連結部３２，３３を移動させることができる。
【００８５】
また、迫り出し機構５１，６１は、第１連結部３２，３３を移動させることで、吹出口１５の第１部分１６に対する第１連結部３２，３３の位置を移動させることができる。例えば、迫り出し機構５１，６１は、図１０に示す位置に配置されている第１連結部３２，３３を、図１１に示す位置に移動させることができる。また、例えば、迫り出し機構５１，６１は、図１１に示す位置に配置されている第１連結部３２，３３を、図１５に示す位置に移動させることができる。さらに、迫り出し機構５１，６１は、吹出口１５の第１部分１６に対する第１連結部３２，３３の位置を吹出口１５から離れる方向に移動させることで、上下風向調整羽根３０を吹出口１５において第１部分１６に相当する開口面から前方に移動させることができる。なお、迫り出し機構５１，６１は、後述する迫り出し機構駆動用モータ５４，６４の駆動力を上下風向調整羽根３０の第１連結部３２，３３に伝達する増速機構として機能する。
【００８６】
また、迫り出し機構５１，６１は、図８および図９に示すように、左側第１連結部３２を移動させることが可能な第１迫り出し機構５１と、右側第１連結部３３を移動させることが可能な第２迫り出し機構６１とを有する。なお、本実施形態では、第１迫り出し機構５１と第２迫り出し機構６１との構成は同様であるため、ここでは、第１迫り出し機構５１の構成についてのみ説明を行い、第２迫り出し機構６１については、第１迫り出し機構５１の構成部品に付される５０番台の符号を６０番台に読み替えることによって、説明を省略する。
【００８７】
第１迫り出し機構５１は、図８および図９に示すように、ピニオン歯車５２と、移動部材５３と、迫り出し機構駆動用モータ５４とを有している。
【００８８】
ピニオン歯車５２は、迫り出し機構駆動用モータ５４の有する駆動軸５４ａに連結されており、迫り出し機構駆動用モータ５４が駆動することによって回転する。
【００８９】
移動部材５３は、ピニオン歯車５２と噛み合うラック５６と、支持軸５７とを有している。ラック５６は、移動部材５３の一端部５３ａ近傍から他端部５３ｂ近傍にかけて配置されている。支持軸５７は、摺動性に優れた部材（高摺動部材）によって構成された棒状の部材であって、移動部材５３の端部５３ａ近傍の端面から外側に向かって突出している。さらに、支持軸５７は、上下風向調整羽根３０の軸支部３２ａを上下風向調整羽根３０の長手方向に対して平行に挿通しており、軸支部３２ａを回転自在に支持している。このため、支持軸５７は、摩擦を抑えて滑らかに軸支部３２ａを回転させることができる。また、支持軸５７はその端部が屈曲しており、支持軸５７が軸支部３２ａから抜け落ちない構造になっている。したがって、迫り出し機構５１，６１は、上下風向調整羽根３０の前後方向の傾斜、および、下風向調整羽根３０の左右方向の傾斜に対応することができる。
【００９０】
迫り出し機構駆動用モータ５４は、ステッピングモータであって、駆動軸５４ａを有している。駆動軸５４ａは、迫り出し機構駆動用モータ５４に連結されており、迫り出し機構駆動用モータ５４が駆動することによって回転する。このため、迫り出し機構駆動用モータ５４は、駆動軸５４ａを回転させることで、ピニオン歯車５２を回転させることができる。なお、本実施形態では、迫り出し機構駆動用モータ５４とピニオン歯車５２とは、互いに対向するように配置されている。また、迫り出し機構駆動用モータ５４は、後述する取り付け板８０に固定されている。
【００９１】
このような構成によって、迫り出し機構駆動用モータ５４，６４がピニオン歯車５２，６２を回転させると、ピニオン歯車５２，６２と噛み合うラック５６，６６に動力が伝達されて、ピニオン歯車５２，６２に対する移動部材５３，６３の位置が変化する。具体的には、図８および図９に示すように、移動部材５３，６３のうち上下風向調整羽根３０と連結されている端部を移動部材５３，６３の下端部５３ａ，６３ａとし、下端部５３ａ，６３ａとは反対側の端部を移動部材５３，６３の上端部５３ｂ，６３ｂとすると、迫り出し機構駆動用モータ５４，６４が駆動することで、移動部材５３，６３の上端部５３ｂ，６３ｂが、ピニオン歯車５２，６２近傍の位置に移動したり、ピニオン歯車５２，６２から離れた位置に移動したりする。このため、移動部材５３，６３の下端部５３ａ，６３ａに連結している上下風向調整羽根３０は、移動部材５３，６３の移動に伴って、吹出口１５における第１部分１６に相当する開口面に向かう方向すなわち吹出口１５の第１部分１６を遮蔽する方向、あるいは、吹出口１５における第１部分１６に相当する開口面から遠ざかる方向すなわち吹出口１５の第１部分１６を開放する方向に移動する。このように、迫り出し機構５１，６１は、吹出口１５の第１部分１６から第１連結部３２，３３までの距離を調整することができる。
【００９２】
これによって、迫り出し機構５１，６１は、上下風向調整羽根３０が吹出口１５近傍から迫り出されるように、上下風向調整羽根３０をスライド移動、すなわち、迫り出し移動させることができる。なお、迫り出し機構駆動用モータ５４，６４の回転量および回転方向は、後述する制御部８４によって制御されている。
【００９３】
角度調整機構７１は、上下風向調整羽根３０の吹出口１５において第１部分１６に相当する開口面に対する前後方向の傾斜角度が調整されるように、上下風向調整羽根３０と角度調整機構７１とが連結されている部分である第２連結部３４を、吹出口１５から離れる方向に移動させることができる。また、角度調整機構７１は、第１連結部３２，３３に軸支されている支持軸５７，６７を回転中心、すなわち、回転軸として第２連結部３４を移動させることで、吹出口１５に対して所定位置に配置されている第２連結部３４を、前記所定位置とは別の位置に移動させることができる。
【００９４】
なお、上述の迫り出し機構５１，６１は、上下風向調整羽根３０の回転軸として機能する支持軸５７，６７を、上下風向調整羽根３０とともに移動させることができることになる。言い換えると、迫り出し機構５１，６１は、上下風向調整羽根３０の回転軸を移動させることができることになる。
【００９５】
また、角度調整機構７１は、後述する角度調整機構駆動用モータ７３の駆動力を上下風向調整羽根３０の第２連結部３４に伝達する減速機構として機能する。
【００９６】
角度調整機構７１は、角度調整機構駆動用モータ７３と、リンク機構７２とを備えている。
【００９７】
角度調整機構駆動用モータ７３は、駆動軸７３ａを有している。角度調整機構駆動用モータ７３は、ステッピングモータであって、駆動軸７３ａを介してリンク機構７２を駆動させる。
【００９８】
リンク機構７２は、揺動レバー７４と、アーム７５とを有している。揺動レバー７４は、その一端部が、角度調整機構駆動用モータ７３の駆動軸７３ａに連結されている。また、揺動レバー７４の他端部は、アーム７５の一端部と回動可能に連結されている。
【００９９】
また、アーム７５は、支持軸７８を含む。支持軸７８は、摺動性に優れた部材によって構成されており、アーム７５において揺動レバー７４と連結している端部とは反対側の端部近傍の両端面から外側方向に向かって突出するように設けられている。また、支持軸７８は、上下風向調整羽根３０の軸支部３４ａを回転可能に支持している。このため、支持軸７８は、摩擦を抑えて滑らかに軸支部３４ａを回転させることができる。したがって、角度調整機構７１は、上下風向調整羽根３０の前後方向の傾斜、および、上下風向調整羽根３０の左右方向の傾斜に対応することができる。
【０１００】
このため、リンク機構７２は、揺動レバー７４が図１０に示す位置にある場合には、上下風向調整羽根３０が吹出口１５の第１部分１６を遮蔽している状態となる。また、揺動レバー７４が図１１または図１５に示す位置にある場合には、上下風向調整羽根３０の状態が、第１開状態、第２開状態、第３開状態、または、第４開状態となる。さらに、揺動レバー７４が図１６に示す位置にある場合には、上下風向調整羽根３０の状態が、第５開状態、第６開状態、または、第７開状態となる。このように、角度調整機構７１は、吹出口１５の第１部分１６から第２連結部３４までの距離を調整することができる。
【０１０１】
なお、上述の迫り出し機構５１，６１は、上下風向調整羽根３０の状態を第１開状態から第４開状態に切り換える場合には、支持軸７８を回動中心、すなわち、回転軸として、第１連結部３２，３３を移動させる。このため、上下風向調整羽根３０の状態が第１開状態から第４開状態に切り換わる場合には、角度調整機構７１によって吹出口１５の第１部分１６に対する支持軸７８の位置、すなわち、第２連結部３４の位置は移動されない。
【０１０２】
このような構成によって、角度調整機構駆動用モータ７３が駆動することで、上下風向調整羽根３０の第２連結部３４を押し引きすることができる。なお、リンク機構７２の回転角度、すなわち、角度調整機構駆動用モータ７３の回転量および回転方向は、後述する制御部８４によって制御されている。
【０１０３】
このように、上下風向調整羽根３０は、迫り出し機構５１，６１によって吹出口１５の第１部分１６から第１連結部３２，３３までの距離が調整され、角度調整機構７１によって吹出口１５の第１部分１６から第２連結部３４までの距離が調整されることで、吹出口１５において第１部分１６に相当する開口面に対する傾斜角度が変更される。また、上下風向調整羽根３０が第１開状態から第４開状態に切り換わる場合には、迫り出し機構５１，６１は、第２連結部３４に軸支されている支持軸７８を回転軸として第１連結部３２，３３を移動させる。さらに、上下風向調整羽根３０が第４開状態から第５開状態に切り換わる場合には、角度調整機構７１は、第１連結部３２，３３に軸支されている支持軸５７，６７を回転軸として第２連結部３４を移動させる。このため、上下風向調整羽根３０の前側端部３０ｆ近傍の第１連結部３２，３３および後側端部３０ｅ近傍の第２連結部３４のいずれか一方に軸支されている支持軸を回転軸とし、回転軸として機能していない方の支持軸を軸支している連結部を可動させることで、吹出口１５の第１部分１６に対する上下風向調整羽根３０の傾斜角度が変更されている。
【０１０４】
また、第１機構５０は、取り付け板８０を有している。取り付け板８０は、吹出口１５において第１部分１６に相当する開口面よりも上方に配置されている。また、取り付け板８０の上面には、迫り出し機構５１，６１の駆動源である２つの迫り出し機構駆動用モータ５４，６４、および、角度調整機構７１の駆動源である角度調整機構駆動用モータ７３が固定されている。具体的には、迫り出し機構駆動用モータ５４，６４は、取り付け板８０の両端部近傍にそれぞれ固定されている。また、角度調整機構駆動用モータ７３は、取り付け板８０の略中央部に固定されている。このようにして、迫り出し機構駆動用モータ５４，６４および角度調整機構駆動用モータ７３は、取り付け板８０とともに、室内機ケーシング１２の内部に収納されている。
【０１０５】
また、取り付け板８０には、迫り出し機構駆動用モータ５４，６４の近傍に、それぞれの移動部材５３，６３が挿通可能な移動部材挿通開口８１ａ，８１ｂが形成されている。なお、移動部材挿通開口８１ａ，８１ｂは、移動部材５３，６３のラック５６，６６以外の部分を支持することができるように、その一部が狭くなるように形成されている。さらに、取り付け板８０には、図８および図９に示すように、各移動部材５３，６３を案内するための案内溝８２ａ，８２ｂが設けられている。
【０１０６】
また、取り付け板８０には、角度調整機構駆動用モータ７３近傍に、揺動レバー７４が挿通可能なレバー挿通開口８３が形成されている。
【０１０７】
＜制御部＞
図１９は、空気調和機１の備える制御部８４の制御ブロック図である。
【０１０８】
制御部８４は、図１９に示すように、室内機１０および室外機２の各種機器と接続されており、リモートコントローラ８６を介した空調対象者からの運転指令に基づいて、冷房運転や暖房運転等の各運転モードに応じた各種機器の運転制御を行うことができる。
【０１０９】
また、リモートコントローラ８６には、運転停止／開始ボタンや風向設定ボタン８６ａ等の複数のスイッチが設けられている。運転停止／開始ボタンは、空調対象者によって空気調和機１の運転が停止されるときまたは運転が開始されるときに操作されるスイッチである。また、風向設定ボタン８６ａは、空調対象者によって室内機１０から吹き出される空気の吹き出し方向が設定されるときに操作されるスイッチである。例えば、空調対象者によって風向設定ボタン８６ａが押されると、制御部８４は空調対象者からの風向設定指令を制御信号として受信する。なお、本実施形態における風向設定指令には、第１指令、第２指令、第３指令、第４指令、第５指令、第６指令および第７指令が含まれる。第１指令とは、調和空気が室内機１０の前側上方および側方に吹き出すように空気の吹き出し方向を設定するための指令である。第２指令とは、調和空気が室内機１０の前側上方および右側方に吹き出すように空気の吹き出し方向を設定するための指令である。第３指令とは、調和空気が室内機１０の前側上方および左側方に吹き出すように空気の吹き出し方向を設定するための指令である。第４指令とは、調和空気が室内機１０の前側下方に吹き出すように空気の吹き出し方向を設定するための指令である。第５指令とは、調和空気が室内機１０の下方に吹き出すように空気の吹き出し方向を設定するための指令である。第６指令とは、調和空気が室内機１０の下方および右側方に吹き出すように空気の吹き出し方向を設定するための指令である。第７指令とは、調和空気が室内機１０の下方および左側方に吹き出すように空気の吹き出し方向を設定するための指令である。このため、制御部８４は、空調対象者によって為された運転開始指令および風向設定指令に基づいて、空気調和機１の運転モードおよび空気の吹き出し方向を決定する。
【０１１０】
また、制御部８４は、上下風向調整羽根３０の状態を切り換えるための駆動制御部８５を有する。駆動制御部８５は、迫り出し機構５１，６１および角度調整機構７１を任意のタイミングで駆動させることができる。具体的には、駆動制御部８５は、迫り出し機構駆動用モータ５４，６４および角度調整機構駆動用モータ７３の回転数や回転方向を個別に制御することで、上下風向調整羽根３０の状態を切り換える。
【０１１１】
また、駆動制御部８５は、迫り出し機構駆動用モータ５４と、迫り出し機構駆動用モータ６４とを個別に制御可能である。このため、駆動制御部８５は、各迫り出し機構駆動用モータ５４，６４の駆動量を制御することで、吹出口１５から左側第１連結部３２までの距離と吹出口１５から右側第１連結部３３までの距離とを、等しくしたり、異ならせたりすることができる。具体的には、駆動制御部８５は、各迫り出し機構駆動用モータ５４，６４の駆動量が等しくなるように制御することで、第１迫り出し機構５１および第２迫り出し機構６１の移動量を等しくすることができるため、吹出口１５から左側第１連結部３２までの距離と吹出口１５から右側第１連結部３３までの距離とを等しくすることができる。また、駆動制御部８５は、迫り出し機構駆動用モータ５４の駆動量を迫り出し機構駆動用モータ６４の駆動量よりも大きくすることで、第１迫り出し機構の移動量を第２迫り出し機構の移動量よりも大きくすることができるため、吹出口１５から左側第１連結部３２までの距離を吹出口１５から右側第１連結部３３までの距離よりも大きくすることができる。さらに、駆動制御部８５は、迫り出し機構駆動用モータ５４の駆動量を迫り出し機構駆動用モータ６４の駆動量よりも小さくすることで、第１迫り出し機構の移動量を第２迫り出し機構の移動量よりも小さくすることができるため、吹出口１５から左側第１連結部３２までの距離を吹出口１５から右側第１連結部３３までの距離よりも小さくすることができる。
【０１１２】
このようにして、駆動制御部８５は、２つの迫り出し機構駆動用モータ５４，６４および角度調整機構駆動用モータ７３を制御することで、上下風向調整羽根３０を吹出口１５に対して前後方向および左右方向に傾斜して配置することができる。
【０１１３】
＜制御部による切り換え制御＞
次に駆動制御部８５による上下風向調整羽根の状態、すなわち、上下風向調整羽根の姿勢の切り換え制御について説明する。なお、以下では、説明の便宜上、第１連結部３２，３３が吹出口１５に対して離反するように移動する場合に迫り出し機構駆動用モータ５４，６４が回転する回転方向を第１方向とし、第１連結部３２，３３が吹出口１５に対して近接するように移動する場合に迫り出し機構駆動用モータ５４，６４が回転する回転方向を第２方向とする。また、第２連結部３４が吹出口１５に対して離反するように移動する場合に角度調整機構駆動用モータ７３が回転する回転方向を第３方向とし、第２連結部３４が吹出口１５に対して近接するように移動する場合に角度調整機構駆動用モータ７３が回転する回転方向を第４方向とする。さらに、上下風向調整羽根３０を閉状態から第１開状態に切り換えるために必要とされる迫り出し機構駆動用モータ５４，６４の駆動量を第１駆動量とし、上下風向調整羽根３０を第１開状態から第４開状態に切り換えるために必要とされる迫り出し機構駆動用モータ５４，６４の駆動量を第２駆動量とする。また、上下風向調整羽根３０を閉状態から第１開状態に切り換えるために必要とされる角度調整機構駆動用モータ７３の駆動量を第３駆動量とし、上下風向調整羽根３０を第４開状態から第５開状態に切り換えるために必要とされる角度調整機構駆動用モータ７３の駆動量を第４駆動量とする。
【０１１４】
（１）第１開状態への切り換え制御
上下風向調整羽根３０の状態が閉状態である場合に、空調対象者からリモートコントローラ８６を介して運転開始指令と共に第１指令が為されると、駆動制御部８５は、上下風向調整羽根３０の状態が閉状態から第１開状態に状態が切り換わるように、第１機構５０を駆動させる。具体的には、駆動制御部８５は、上下風向調整羽根３０が吹出口１５の第１部分１６に相当する開口面に対して略平行な位置に配置されるように、各迫り出し機構駆動用モータ５４，６４を制御し、かつ、角度調整機構駆動用モータ７３を制御する。より具体的には、駆動制御部８５は、各迫り出し機構駆動用モータ５４，６４を各々第１駆動量だけ第１方向に駆動させ、角度調整機構駆動用モータ７３を第３方向に第３駆動量だけ駆動させる。これによって、上下風向調整羽根３０の状態が、閉状態から第１開状態に切り換えられる。
【０１１５】
上下風向調整羽根３０の状態が第２開状態である場合に、空調対象者からリモートコントローラ８６を介して第１指令が為されると、駆動制御部８５は、上下風向調整羽根３０の状態が第２状態から第１開状態に状態が切り換わるように、第２迫り出し機構６１を駆動させる。具体的には、駆動制御部８５は、上下風向調整羽根３０が吹出口１５の第１部分１６に相当する開口面に対して略平行な位置に配置されるように、迫り出し機構駆動用モータ６４のみが駆動するように迫り出し機構駆動用モータ６４を制御する。より具体的には、駆動制御部８５は、迫り出し機構駆動用モータ６４を第２方向に第２駆動量だけ駆動させる。これによって、上下風向調整羽根３０の状態が、第２状態から第１開状態に切り換えられる。
【０１１６】
上下風向調整羽根３０の状態が第３開状態である場合に、空調対象者からリモートコントローラ８６を介して第１指令が為されると、駆動制御部８５は、上下風向調整羽根３０の状態が第３開状態から第１開状態に状態が切り換わるように、第１迫り出し機構５１を駆動させる。具体的には、駆動制御部８５は、上下風向調整羽根３０が吹出口１５の第１部分１６に相当する開口面に対して略平行な位置に配置されるように、迫り出し機構駆動用モータ５４のみが駆動するように迫り出し機構駆動用モータ５４を制御する。より具体的には、駆動制御部８５は、迫り出し機構駆動用モータ５４を第２方向に第２駆動量だけ駆動させる。これによって、上下風向調整羽根３０の状態が、第３状態から第１開状態に切り換えられる。
【０１１７】
上下風向調整羽根３０の状態が第４開状態である場合に、空調対象者からリモートコントローラ８６を介して第１指令が為されると、駆動制御部８５は、上下風向調整羽根３０の状態が第４開状態から第１開状態に状態が切り換わるように、迫り出し機構５１，６１を駆動させる。具体的には、駆動制御部８５は、上下風向調整羽根３０が吹出口１５の第１部分１６に相当する開口面に対して略平行な位置に配置されるように、各迫り出し機構駆動用モータ５４，６４を制御する。より具体的には、駆動制御部８５は、各迫り出し機構駆動用モータ５４，６４を各々第２駆動量だけ第２方向に駆動させる。これによって、上下風向調整羽根３０の状態が、第４開状態から第１開状態に切り換えられる。
【０１１８】
なお、上下風向調整羽根３０の状態が第５開状態のときに第１指令が為された場合には、駆動制御部８５は、上下風向調整羽根３０の状態を第４開状態に切り換えた後に、第１開状態に切り換える。また、上下風向調整羽根３０の状態が第６開状態または第７開状態のときに第１指令が為された場合には、駆動制御部８５は、上下風向調整羽根３０の状態を第５開状態に切り換えた後に、第４開状態に切り換え、更に、第１開状態に切り換える。
【０１１９】
また、上下風向調整羽根３０の状態が第１開状態に切り換えられた場合、制御部８４は、垂直羽根１９が室内機ケーシング１２の長手方向に対して左右方向に揺動するように、駆動モータを制御する。
【０１２０】
このため、垂直羽根１９によって吹出口１５に導かれた調和空気は、吹出口１５において第１部分１６に相当する開口面と略平行となるように配置されている上下風向調整羽根３０の内側面３０ａに沿って室内機１０の前側上方または左右両側方に吹き出される。
【０１２１】
これによって、吹出口１５から吹き出される空気の向かう方向が室内機１０の前側上方または左右両側方となるため、室内機１０の設置されている室内空間を室内機１０の前側の空間である第１空間と第１空間よりも後側の空間である第２空間とに分け、さらに、第２空間のうち室内機１０の両側方の空間を特に側方部とした場合、調和空気が、室内空間のうち、主に、第１空間の上部および左右両側方部に吹き出されることになる。
【０１２２】
（２）第２開状態への切り換え制御
上下風向調整羽根３０の状態が第１開状態である場合に、空調対象者からリモートコントローラ８６を介して第２指令が為されると、駆動制御部８５は、上下風向調整羽根３０の状態が第１状態から第２開状態に状態が切り換わるように、第２迫り出し機構６１を駆動させる。具体的には、駆動制御部８５は、上下風向調整羽根３０が吹出口１５の第１部分１６に相当する開口面に対して左右方向に傾斜する位置に配置されるように、迫り出し機構駆動用モータ６４のみを制御する。より具体的には、駆動制御部８５は、迫り出し機構駆動用モータ６４を第１方向に第２駆動量だけ駆動させる。これによって、上下風向調整羽根３０の状態が、第１状態から第２開状態に切り換えられる。
【０１２３】
なお、上下風向調整羽根３０の状態が、閉状態、第３開状態または第４開状態のときに第２指令が為された場合は、駆動制御部８５は、上下風向調整羽根３０の状態を第１開状態に切り換えた後に、第２開状態に切り換える。また、上下風向調整羽根３０の状態が、第５開状態のときに第２指令が為された場合には、駆動制御部８５は、上下風向調整羽根３０の状態を第４開状態に切り換え、更に、第１開状態に切り換えた後に、第２開状態に切り換える。さらに、上下風向調整羽根３０の状態が、第６開状態または第７開状態のときに第２指令が為された場合には、駆動制御部８５は、上下風向調整羽根３０の状態を第５開状態に切り換えた後に、第４開状態、第１開状態の順に切り換えて、第２開状態に切り換える。
【０１２４】
また、上下風向調整羽根３０の状態が第２開状態に切り換えられた場合、制御部８４は、垂直羽根１９が室内機ケーシング１２の長手方向に対して右側に傾斜した状態で止まるように、駆動モータを制御する。
【０１２５】
このため、吹出口１５に至った調和空気は、傾斜している上下風向調整羽根３０の内側面３０ａに沿って室内機１０の前側上方および右側方に吹き出される。
【０１２６】
これによって、吹出口１５から吹き出される空気の向かう方向が室内機１０の前側上方および右側方となるため、調和空気が、室内空間のうち、主に、第１空間の上部および第２空間の右側方部に吹き出されることになる。
【０１２７】
（３）第３開状態への切り換え制御
上下風向調整羽根３０の状態が第１開状態である場合に、空調対象者からリモートコントローラ８６を介して第３指令が為されると、駆動制御部８５は、上下風向調整羽根３０の状態が第１状態から第３開状態に状態が切り換わるように、第１迫り出し機構５１を駆動させる。具体的には、駆動制御部８５は、上下風向調整羽根３０が吹出口１５の第１部分１６に相当する開口面に対して左右方向に傾斜する位置に配置されるように、迫り出し機構駆動用モータ５４のみを制御する。より具体的には、駆動制御部８５は、迫り出し機構駆動用モータ５４を第１方向に第２駆動量だけ駆動させる。これによって、上下風向調整羽根３０の状態が、第１状態から第３開状態に切り換えられる。
【０１２８】
なお、上下風向調整羽根３０の状態が、閉状態、第２開状態または第４開状態のときに第３指令が為された場合には、駆動制御部８５は、上下風向調整羽根３０の状態を第１開状態に切り換えた後に、第３開状態に切り換える。また、上下風向調整羽根３０の状態が、第５開状態のときに第３指令が為された場合には、駆動制御部８５は、上下風向調整羽根３０の状態を第４開状態に切り換えた後に、第１開状態に切り換え、更に、第３開状態に切り換える。さらに、上下風向調整羽根３０の状態が、第６開状態または第７開状態のときに第３指令が為された場合には、駆動制御部８５は、上下風向調整羽根３０の状態を第５開状態に切り換えた後に、更に、第４開状態、第１開状態の順に切り換えて、第３開状態に切り換える。
【０１２９】
（４）第４開状態への切り換え制御
上下風向調整羽根３０の状態が第１開状態である場合に、空調対象者からリモートコントローラ８６を介して第４指令が為されると、駆動制御部８５は、上下風向調整羽根３０の状態が第１開状態から第４開状態に状態が切り換わるように、第１迫り出し機構５１および第２迫り出し機構６１を駆動させる。具体的には、駆動制御部８５は、上下風向調整羽根３０が吹出口１５の第１部分１６に相当する開口面に対して前後方向に傾斜して配置されるように、各迫り出し機構駆動用モータ５４，６４を制御する。より具体的には、駆動制御部８５は、各迫り出し機構駆動用モータ５４，６４を各々第２駆動量だけ第１方向に駆動させる。これによって、上下風向調整羽根３０の状態が、第１開状態から第４開状態に切り換えられる。
【０１３０】
なお、上下風向調整羽根３０の状態が、閉状態、第２開状態、第３開状態のときに第４指令が為された場合には、駆動制御部８５は、上下風向調整羽根３０の状態を第１開状態に切り換えた後に、第４開状態に切り換える。
【０１３１】
また、上下風向調整羽根３０の状態が第５開状態である場合に、空調対象者からリモートコントローラ８６を介して第４指令が為されると、駆動制御部８５は、上下風向調整羽根３０の状態が第５開状態から第４開状態に状態が切り換わるように、角度調整機構７１を駆動させる。具体的には、駆動制御部８５は、上下風向調整羽根３０が吹出口１５の第１部分１６に相当する開口面に対して前後方向に傾斜して配置されるように、角度調整機構駆動用モータ７３を制御する。より具体的には、駆動制御部８５は、角度調整機構駆動用モータ７３を第４駆動量だけ第４方向に駆動させる。これによって、上下風向調整羽根３０の状態が、第５開状態から第４開状態に切り換えられる。
【０１３２】
なお、上下風向調整羽根３０の状態が、第６開状態または第７開状態のときに第４指令が為された場合には、駆動制御部８５は、上下風向調整羽根３０の状態を第５開状態に切り換えた後に、第４開状態に切り換える。
【０１３３】
また、上下風向調整羽根３０の状態が第４開状態に切り換えられた場合、制御部８４は、垂直羽根１９が室内機ケーシング１２の長手方向に対して左右方向に揺動するように、駆動モータを制御する。
【０１３４】
このため、垂直羽根１９によって吹出口１５に導かれた調和空気は、傾斜している上下風向調整羽根３０の内側面３０ａに沿って室内機１０の前側下方または左右両側方に吹き出される。
【０１３５】
これによって、吹出口１５から吹き出される空気の向かう方向が室内機１０の前側下方または左右両側方となるため、調和空気が、室内空間のうち、主に、第１空間の下部および左右両側方部に吹き出されることになる。
【０１３６】
（５）第５開状態への切り換え制御
上下風向調整羽根３０の状態が第４開状態である場合に、空調対象者からリモートコントローラ８６を介して第５指令が為されると、駆動制御部８５は、上下風向調整羽根３０の状態が第４開状態から第５開状態に状態が切り換わるように、角度調整機構７１を駆動させる。具体的には、駆動制御部８５は、上下風向調整羽根３０が吹出口１５の第１部分１６に相当する開口面に対して前後方向に傾斜して配置されるように、角度調整機構駆動用モータ７３を制御する。より具体的には、駆動制御部８５は、角度調整機構駆動用モータ７３を第４駆動量だけ第３方向に駆動させる。これによって、上下風向調整羽根３０の状態が、第４開状態から第５開状態に切り換えられる。
【０１３７】
なお、上下風向調整羽根３０の状態が、閉状態または第１開状態のときに第５指令が為された場合には、駆動制御部８５は、上下風向調整羽根３０の状態を第４開状態に切り換えた後に、第５開状態に切り換える。また、上下風向調整羽根３０の状態が、第２開状態または第３開状態のときに第５指令が為された場合には、駆動制御部８５は、上下風向調整羽根３０の状態を第１開状態、第４開状態の順に切り換えた後に、第５開状態に切り換える。
【０１３８】
また、上下風向調整羽根３０の状態が第６開状態である場合に、空調対象者からリモートコントローラ８６を介して第５指令が為されると、駆動制御部８５は、上下風向調整羽根３０の状態が第６開状態から第５開状態に状態が切り換わるように、第１迫り出し機構５１のみを駆動させる。具体的には、駆動制御部８５は、上下風向調整羽根３０が吹出口１５の第１部分１６に相当する開口面に対して前後方向に傾斜して配置されるように、迫り出し機構駆動用モータ５４のみを制御する。より具体的には、駆動制御部８５は、迫り出し機構駆動用モータ５４だけを第１方向に第２駆動量だけ駆動させる。これによって、上下風向調整羽根３０の状態が、第６開状態から第５開状態に切り換えられる。
【０１３９】
さらに、上下風向調整羽根３０の状態が第７開状態である場合に、空調対象者からリモートコントローラ８６を介して第５指令が為されると、駆動制御部８５は、上下風向調整羽根３０の状態が第７開状態から第５開状態に状態が切り換わるように、第２迫り出し機構６１のみを駆動させる。具体的には、駆動制御部８５は、上下風向調整羽根３０が吹出口１５の第１部分１６に相当する開口面に対して前後方向に傾斜して配置されるように、迫り出し機構駆動用モータ６４のみを制御する。より具体的には、駆動制御部８５は、迫り出し機構駆動用モータ６４だけを第１方向に第２駆動量だけ駆動させる。これによって、上下風向調整羽根３０の状態が、第７開状態から第５開状態に切り換えられる。
【０１４０】
また、上下風向調整羽根３０の状態が第５開状態に切り換えられた場合、制御部８４は、垂直羽根１９が室内機ケーシング１２の長手方向に対して左右方向に揺動するように、駆動モータを制御する。
【０１４１】
このため、垂直羽根１９によって吹出口１５に導かれた調和空気は、傾斜している上下風向調整羽根３０の内側面３０ａに沿って室内機１０の下方または左右両側方に吹き出される。
【０１４２】
これによって、吹出口１５から吹き出される空気の向かう方向が室内機１０の下方または左右両側方となるため、第２空間のうち室内機１０の下方の空間を特に下部とした場合、調和空気が、室内空間のうち、主に、第２空間の下部および左右両側方部に吹き出されることになる。
【０１４３】
（６）第６開状態への切り換え制御
上下風向調整羽根３０の状態が第５開状態である場合に、空調対象者からリモートコントローラ８６を介して第６指令が為されると、駆動制御部８５は、上下風向調整羽根３０の状態が第５開状態から第６開状態に状態が切り換わるように、第１迫り出し機構５１のみを駆動させる。具体的には、駆動制御部８５は、上下風向調整羽根３０が吹出口１５の第１部分１６に相当する開口面に対して左右方向に傾斜して配置されるように、迫り出し機構駆動用モータ５４のみを制御する。より具体的には、駆動制御部８５は、迫り出し機構駆動用モータ５４だけを第２方向に第２駆動量だけ駆動させる。これによって、上下風向調整羽根３０の状態が、第５開状態から第６開状態に切り換えられる。
【０１４４】
なお、上下風向調整羽根３０の状態が、閉状態、第１開状態、第４開状態のときに第６指令が為された場合には、駆動制御部８５は、上下風向調整羽根３０の状態を第５開状態に切り換えた後に、第６開状態に切り換える。また、上下風向調整羽根３０の状態が、第２開状態または第３開状態のときに第６指令が為された場合には、駆動制御部８５は、上下風向調整羽根３０の状態を第１開状態に切り換えた後に、第４開状態、第５開状態の順に切り換えて、第６開状態に切り換える。さらに、上下風向調整羽根３０の状態が第７開状態のときに第６指令が為された場合には、駆動制御部８５は、上下風向調整羽根３０の状態を第５開状態に切り換えた後に第６開状態に切り換える。
【０１４５】
また、このとき、制御部８４は、垂直羽根１９が室内機ケーシング１２の長手方向に対して右側に傾斜した状態で止まるように、駆動モータを制御する。
【０１４６】
このため、吹出口１５に至った調和空気は、傾斜している上下風向調整羽根３０の内側面３０ａに沿って室内機１０の下方および右側方に吹き出される。
【０１４７】
これによって、吹出口１５から吹き出される空気の向かう方向が室内機１０の下方および右側方となるため、調和空気が、室内空間のうち、主に、第２空間の下部および右側部に吹き出されることになる。
【０１４８】
（７）第７開状態への切り換え制御
上下風向調整羽根３０の状態が第５開状態である場合に、空調対象者からリモートコントローラ８６を介して第７指令が為されると、駆動制御部８５は、上下風向調整羽根３０の状態が第５開状態から第７開状態に状態が切り換わるように、第２迫り出し機構６１のみを駆動させる。具体的には、駆動制御部８５は、上下風向調整羽根３０が吹出口１５の第１部分１６に相当する開口面に対して左右方向に傾斜して配置されるように、迫り出し機構駆動用モータ６４のみを制御する。より具体的には、駆動制御部８５は、迫り出し機構駆動用モータ６４だけを第２方向に第２駆動量だけ駆動させる。これによって、上下風向調整羽根３０の状態が、第５開状態から第７開状態に切り換えられる。
【０１４９】
なお、上下風向調整羽根３０の状態が閉状態、第１開状態、第４開状態のときに第７指令が為された場合には、駆動制御部８５は、上下風向調整羽根３０の状態を第５開状態に切り換えた後に、第７開状態に切り換える。また、上下風向調整羽根３０の状態が第２開状態または第３開状態のときに第７指令が為された場合には、駆動制御部８５は、上下風向調整羽根３０の状態を第１開状態に切り換えた後に、第４開状態、第５開状態の順に切り換えて、第７開状態に切り換える。さらに、上下風向調整羽根３０の状態が第６開状態のときに第７指令が為された場合には、駆動制御部８５は、上下風向調整羽根３０の状態を第５開状態に切り換えた後に、第７開状態に切り換える。
【０１５０】
また、このとき、制御部８４は、垂直羽根１９が室内機ケーシング１２の長手方向に対して左側に傾斜した状態で止まるように、駆動モータを制御する。
【０１５１】
このため、吹出口１５に至った調和空気は、傾斜している上下風向調整羽根３０の内側面３０ａに沿って室内機１０の下方および左側方に吹き出される。
【０１５２】
これによって、吹出口１５から吹き出される空気の向かう方向が室内機１０の下方および左側方となるため、調和空気が、室内空間のうち、主に、第２空間の下部および左側部に吹き出されることになる。
【０１５３】
（８）閉状態への切り換え制御
上下風向調整羽根３０の状態が第１開状態である場合に、空調対象者からリモートコントローラ８６を介して運転停止指令が為されると、駆動制御部８５は、上下風向調整羽根３０の状態が第１開状態から閉状態に状態が切り換わるように、第１機構５０を駆動させる。具体的には、駆動制御部８５は、上下風向調整羽根３０が吹出口１５の第１部分１６を遮蔽するように、各迫り出し機構駆動用モータ５４，６４を制御し、かつ、角度調整機構駆動用モータ７３を制御する。より具体的には、駆動制御部８５は、各迫り出し機構駆動用モータ５４，６４を各々第１駆動量だけ第２方向に駆動させ、角度調整機構駆動用モータ７３を第３駆動量だけ第４方向に駆動させる。これによって、上下風向調整羽根３０の状態が、第１開状態から閉状態に切り換えられる。
【０１５４】
なお、上下風向調整羽根３０の状態が、第２開状態、第３開状態または第４開状態のときに運転停止指令が為された場合には、駆動制御部８５は、上下風向調整羽根３０の状態を第１開状態に切り換えた後に、閉状態に切り換える。また、上下風向調整羽根３０の状態が、第５開状態のときに運転停止指令が為された場合には、駆動制御部８５は、上下風向調整羽根３０の状態を第４開状態、第１開状態の順に切り換えた後に、閉状態に切り換える。さらに、上下風向調整羽根３０の状態が、第６開状態または第７開状態のときに運転停止指令が為された場合には、駆動制御部８５は、上下風向調整羽根３０の状態を第５開状態、第４開状態、第１開状態の順に切り換えた後に、閉状態に切り換える。
【０１５５】
＜特徴＞
（１）
上記実施形態では、迫り出し機構５１，６１によって、吹出口１５の第１部分１６から第１連結部３２，３３までの距離が調整される。このため、吹出口１５から左側第１連結部３２までの距離と吹出口１５からから右側第１連結部３３までの距離とが異なるように迫り出し機構５１，６１を駆動することで、吹出口１５から上下風向調整羽根３０の左側端部３０ｇまでの距離と吹出口１５から上下風向調整羽根３０の右側端部３０ｈまでの距離とを異なる距離にすることができる。すなわち、吹出口１５の第１部分１６から第１端点３０ｃａまでの距離と、吹出口１５の第１部分１６から第２端点３０ｃｂまでの距離とが異なるように、第１連結部３２，３３を移動させることができる。したがって、上下風向調整羽根３０が吹出口１５の第１部分１６に対する開口面に対して左右方向に傾斜した姿勢を採ることができる。
【０１５６】
これによって、側方に調和空気を吹き出させることができている。
【０１５７】
また、上記実施形態では、迫り出し機構５１，６１のみを駆動することで、上下風向調整羽根３０の状態を第５開状態から第６開状態、または、第７開状態に切り換えることができる。このため、吹出口１５の第１部分１６から第３端点３０ｄａまでの距離と、吹出口１５の第１部分１６から第４端点３０ｄｂまでの距離と、吹出口１５の第１部分１６から第１端点３０ｃａまでの距離と、吹出口１５の第１部分１６から第２端点３０ｃｂまでの距離とがそれぞれ異なるように、第１連結部３２，３３を移動させることができる。したがって、吹出口１５の第１部分１６に相当する開口面に対して上下風向調整羽根３０を前後方向および左右方向に傾斜して配置することができている。
【０１５８】
（２）
上記実施形態では、制御部８４によって、迫り出し機構５１，６１の駆動量が制御されている。このため、複数の移動機構によって、吹出口１５に対する上下風向調整羽根３０の位置を変更することができている。
【０１５９】
また、制御部８４によって、迫り出し機構５１，６１の駆動量が調整されることで、吹出口１５に対する上下風向調整羽根３０の左右傾斜角度を調整することができる。このため、吹出口１５に対して上下風向調整羽根３０を左右方向に傾斜して配置させることができる。
【０１６０】
（３）
上記実施形態では、迫り出し機構５１，６１によって、第１連結部３２，３３をスライド移動させることができる。このため、各迫り出し機構５１，６１の駆動量が等しい場合には、上下風向調整羽根３０をスライド移動させることができる。
【０１６１】
（４）
上記実施形態では、角度調整機構７１によって、上下風向調整羽根３０の吹出口１５において第１部分１６に相当する開口面に対する前後方向、すなわち、上下風向調整羽根３０の左右方向に直交する方向の傾斜角度が調整されている。このため、例えば、上下風向調整羽根の吹出口の開口面に対する角度が迫り出し機構のみによって調整される場合と比較して、上下風向調整羽根３０の傾斜角度の調整可能な範囲を広げることができる。したがって、上下風向調整羽根３０の採りうる姿勢の種類を増やすことができる。
【０１６２】
これによって、吹出口１５から吹き出される空気の向かう方向の種類を多くすることができている。
【０１６３】
（５）
上記実施形態では、迫り出し機構駆動用モータ５４，６４および角度調整機構駆動用モータ７３は、室内機ケーシング１２の内部に収納されている。このため、迫り出し機構５１，９１および角度調整機構７１を駆動させるための駆動源が必要以上に目立つおそれを減らすことができている。
【０１６４】
また、上記実施形態では、迫り出し機構駆動用モータ５４によって第１迫り出し機構５１が駆動され、迫り出し機構駆動用モータ６４によって第２迫り出し機構６１が駆動されている。このため、各迫り出し機構５１，６１をそれぞれ別の駆動源によって駆動させることができている。
【０１６５】
（６）
上記実施形態では、上下風向調整羽根３０において、第２連結部３４が、２箇所の第１連結部３２，３３を結ぶ直線から離れた位置に配置されている。このため、第１連結部３２，３３および第２連結部３４の位置が確定することで、上下風向調整羽根３０の位置および姿勢を確定することができる。したがって、迫り出し機構５１，６１および角度調整機構７１を駆動させることで、吹出口１５において第１部分１６に相当する開口面に対する上下風向調整羽根３０の傾斜角度を調整することができる。
【０１６６】
また、上記実施形態では、第１連結部３２，３３および第２連結部３４は、第１連結部３２から第２連結部３４までの距離と第１連結部３３から第２連結部３４までの距離とがそれぞれ等しくなるように上下風向調整羽根３０上に配置されている。このため、上下風向調整羽根３０の姿勢を安定させやすくすることができている。
【０１６７】
＜変形例＞
（Ａ）
上記実施形態では、吹出口１５において室内機ケーシング１２の底面に設けられている開口部分のみが上下風向調整羽根３０によって覆われおり、吹出口１５において室内機ケーシング１２の側面に設けられている開口部分は常に開放されている。
【０１６８】
これに代えて、吹出口において上下風向調整羽根によって覆われていない部分、すなわち、吹出口の側部を覆うことが可能な遮蔽部材を更に備えていてもよい。
【０１６９】
例えば、図２０に示すように、吹出口１５が１つの上下風向調整羽根３０と、２つの側方遮蔽部材２０，９０とによって遮蔽される空気調和機の室内機１０について説明する。なお、本変形例において、側方遮蔽部材２０，９０と第２機構とを更に備える構成であること以外は上記実施形態と同様の構成であるため、ここでは、側方遮蔽部材２０，９０および第２機構の構成のみを説明し、他の構成については説明を省略する。また、図２０、図２１、図２２および図２３には、側方遮蔽部材２０，９０以外の構成については、上記実施形態の構成部材と同様の符号を付している。
【０１７０】
＜側方遮蔽部材の構成＞
図２０は、上下風向調整羽根３０が第４開状態であって側方遮蔽部材２０，９０が閉状態である室内機１０の斜視図である。図２１（ａ）は、上下風向調整羽根３０が閉状態であって側方遮蔽部材２０，９０が閉状態である室内機１０の正面図であって、左側方遮蔽部材９０近傍を示す図である。図２１（ｂ）は、上下風向調整羽根３０が閉状態であって側方遮蔽部材２０，９０が閉状態である室内機１０の斜視図であって、左側方遮蔽部材９０近傍を示す図である。図２２（ａ）は、上下風向調整羽根３０が第４開状態であって側方遮蔽部材２０，９０が閉状態である室内機１０の正面図であって、左側方遮蔽部材９０近傍を示す図である。図２２（ｂ）は、上下風向調整羽根３０が第４開状態であって側方遮蔽部材２０，９０が閉状態である室内機１０の斜視図であって、左側方遮蔽部材９０近傍を示す図である。図２３（ａ）は、上下風向調整羽根３０が第４開状態であって側方遮蔽部材２０，９０が開状態である室内機１０の正面図であって、左側方遮蔽部材９０近傍を示す図である。図２３（ｂ）は、上下風向調整羽根３０が第４開状態であって側方遮蔽部材２０，９０が開状態である室内機１０の斜視図であって、左側方遮蔽部材９０近傍を示す図である。
【０１７１】
側方遮蔽部材２０，９０は、室内機１０の左右両側方下部に配置されている。具体的には、側方遮蔽部材２０，９０は、所定方向の断面が略Ｌ字状を呈する板状の部材であって、吹出口１５において室内機ケーシング１２の底面から側面にかけて形成されている開口部分を覆うことが可能である。このため、側方遮蔽部材２０，９０は、吹出口１５において、上下風向調整羽根３０によって覆われる吹出口１５の第１部分１６以外の部分を覆うことが可能である。
【０１７２】
また、側方遮蔽部材２０，９０は、側方遮蔽部材２０，９０と上下風向調整羽根３０とが吹出口１５を遮蔽している状態である場合には、室内機１０の底面視において、吹出口１５のうち室内機ケーシング１２の底面に形成されている開口部分を覆う側方遮蔽部材２０，９０の一部と上下風向調整羽根３０とが左右方向に概ね連続して配置されている。
【０１７３】
なお、以下より、説明の便宜上、側方遮蔽部材２０，９０のうち、室内機１０の正面視において、室内機１０の右側下部に配置される側方遮蔽部材を右側方遮蔽部材２０といい、室内機１０の左側下部に配置される側方遮蔽部材を左側方遮蔽部材９０という。また、右側方遮蔽部材２０は、左側方遮蔽部材９０の構成を左右対称にした構成と同様であるため、ここでは、左側方遮蔽部材９０の構成のみを説明し、右側方遮蔽部材２０の構成については説明を省略する。
【０１７４】
左側方遮蔽部材９０は、図２１および図２２に示すように、室内機１０の下部の角部に沿った湾曲した形状を有している。また、左側方遮蔽部材９０は、第１部９１と、第２部９２とを有する。第１部９１には、左側方遮蔽部材９０の第１端部９０ａが含まれる。また、第２部９２には、左側方遮蔽部材９０の第２端部９０ｂが含まれる。
【０１７５】
また、側方遮蔽部材２０，９０は、２つの状態（閉状態および開状態）を採ることが可能である。なお、以下より、説明の便宜上、吹出口１５において側方遮蔽部材２０，９０が閉状態である場合に左側方遮蔽部材９０によって覆われる部分、言い換えると、吹出口１５において側方遮蔽部材２０，９０が閉状態である場合に左側方遮蔽部材９０の配置される空間を吹出口１５の第２部分１７ａといい、右側方遮蔽部材２０によって覆われる部分、言い換えると、吹出口１５において側方遮蔽部材２０，９０が閉状態である場合に右側方遮蔽部材２０の配置される空間を吹出口１５の第３部分１７ｂという。
【０１７６】
側方遮蔽部材２０，９０の状態が閉状態である場合、側方遮蔽部材２０，９０が吹出口１５の第２部分１７ａおよび第３部分１７ｂを覆うように配置される（図２１および図２２参照）。具体的には、側方遮蔽部材２０，９０の状態が閉状態である場合には、右側方遮蔽部材２０が吹出口１５の第３部分１７ｂを覆うように配置され、左側方遮蔽部材９０が吹出口１５の第２部分１７ａを覆うように配置される。このため、上下風向調整羽根３０および側方遮蔽部材２０，９０が閉状態である場合には、吹出口１５が遮蔽される。
【０１７７】
側方遮蔽部材２０，９０の状態が開状態である場合、側方遮蔽部材２０，９０が吹出口１５の第２部分１７ａおよび第３部分１７ｂを開放するように配置される（図２３参照）。具体的には、右側方遮蔽部材２０が吹出口１５の第３部分１７ｂを開放するように配置され、左側方遮蔽部材９０が吹出口１５の第２部分１７ａを開放するように配置される。
【０１７８】
なお、ここでいう「遮蔽」とは、吹出口１５の所定部分を覆うことが可能な部材によって、前記所定部分の略全部が覆われている状態を意味している。また、ここでいう「開放」とは、吹出口１５の所定部分を覆うことが可能な部材によって、前記所定部分の略全部が覆われていない状態を意味している。
【０１７９】
＜第２機構の構成＞
第２機構は、第１機構５０とは別の移動機構であって、吹出口１５の第２部分１７ａおよび第３部分１７ｂが遮蔽されている状態から吹出口１５の第２部分１７ａおよび第３部分１７ｂが開放されている状態となるように、側方遮蔽部材２０，９０を移動させることが可能な機構である。言い換えると、第２機構は、側方遮蔽部材２０，９０の状態を切り換えるために、側方遮蔽部材２０，９０を移動させるための機構である。
【０１８０】
第２機構は、室内機１０の前後方向に延びる回転軸を回転させるための第２機構駆動用モータ（図示せず）を有している。また、第２機構駆動用モータは、室内機本体１１内に配置されており、室内機ケーシング１２に固定されている。さらに、回転軸は、側方遮蔽部材９０の第１端部９０ａ近傍に配置される支持部材と連結しており、回転することで回転軸を中心に支持部材を回転方向に移動させることができる。
【０１８１】
このような構成によって、第２機構では、第２機構駆動用モータが駆動することで回転軸が回転し、回転軸が回転することで支持部材が回転方向に移動する。また、支持部材が回転方向に移動することで、側方遮蔽部材２０，９０が回転軸を中心に回転方向に移動する。このため、側方遮蔽部材２０，９０は、円弧を描くように移動することで、吹出口１５の第２部分１７ａおよび第３部分１７ｂを遮蔽したり開放したりすることができる。
【０１８２】
また、第２機構は、開状態である側方遮蔽部材２０，９０を収納するための収納部２５，９５を備えている。収納部２５は、吹出口１５の第３部分１７ｂ近傍に配置されている。また、収納部９５は、吹出口１５の第２部分１７ａ近傍に配置されている。
【０１８３】
次に、収納部２５，９５の構成について説明する。なお、収納部２５は、収納部９５の構成を左右対称にした構成と同様であるため、ここでは、収納部９５の構成のみを説明し、収納部２５の構成については説明を省略する。
【０１８４】
収納部９５は、図２２および図２３に示すように、開状態である左側方遮蔽部材９０が収納される収納空間を形成する第１壁部９６と第２壁部９７とを有している。第１壁部９６は、吹出口１５の第２部分１７ａ近傍から上方に延びている。また、第１壁部９６は、左側方遮蔽部材９０に対応可能なように湾曲した形状を呈しており、第１壁部９６の上端部が第１壁部９６の下端部よりも室内機本体１１の中央側に近くなるように傾斜して配置されている。
【０１８５】
また、第２壁部９７は、吹出口１５の第１部分１６と吹出口１５の第２部分１７ａとの境界近傍から上方に延びている。また、第２壁部９７は、左側方遮蔽部材９０に対応可能なように湾曲した形状を呈しており、第２壁部９７の上端部が第２壁部９７の下端部よりも室内機本体１１の中央側に近くなるように傾斜して配置されている。さらに、収納部９５の上端部、すなわち、第２壁部９７の上端部と第１壁部９６の上端部とは、連続した構成となっている。
【０１８６】
また、垂直羽根１９は、収納部２５，９５の上端部よりも室内ファン１４近傍に配置されている。さらに、収納部２５，９５は、垂直羽根１９の有する複数の羽根１９ａのうち最もそれぞれの収納部２５，９５に近い羽根が揺動して傾斜した状態を採ったときに前記各羽根の先端部が収納部２５，９５の上端部近傍にそれぞれ位置するように配置されている。このため、垂直羽根１９が左右方向に揺動している状態で、室内ファン１４によって空気流が生成された場合には、調和空気が左側方または右側方に向かって傾斜している第１壁部の案内面に沿って、言い換えると、第１壁部の案内面に規制されて、室内機１０の側方に向かってに開口している吹出口１５の第２部分１７ａおよび第３部分１７ｂから吹き出される。
【０１８７】
このような構成によって、側方遮蔽部材２０，９０の状態が開状態である場合に、制御部８４によって垂直羽根１９が左右方向に揺動するように制御されることで、調和空気を、室内機１０の左右両側方側に向けて吹き出すことができる。したがって、側方遮蔽部材２０，９０によって吹出口１５の側方が覆われているため、必要に応じて側方に向かって空気を吹き出すことができる。
【０１８８】
（Ｂ）
上記実施形態では、空調対象者からの風向設定指令に基づいて、吹出口１５から吹き出される空気の向かう方向が決定されている。
【０１８９】
これに代えて、例えば、予め各運転モードに応じた風向が設定されており、空調対象者によって風向設定指令が為された場合にのみ前記指令に基づく風向となるように上下風向調整羽根の姿勢を変化させてもよい。また、予め設定される上下風向調整羽根の状態としては、冷房運転時には、調和空気が、室内空間のうち第１空間の下部、すなわち、空調対象者が室内空間の下部に居ることが想定される空間に向かう上下風向調整羽根の状態である第４開状態となるように制御され、暖房運転時には、調和空気が、室内空間のうち第２空間の下部に向かう上下風向調整羽根の状態である第５状態となるように制御されてもよい。このように、室内の温度よりも低い温度の調和空気が吹き出される可能性の高い冷房運転時において、上下風向調整羽根の状態が第４状態となることで、室内空間の下部の温度を効果的に下降させることができる。また、室内の温度よりも高い温度の調和空気が吹き出される可能性の高い暖房運転時において、上下風向調整羽根の状態が第５状態となることで、調和空気が室内空間の上部に溜まり難くすることができるため、室内空間の下部の温度を効果的に上昇させることができる。
【０１９０】
（Ｃ）
上記実施形態では、室内機１０の下部に吹出口１５が形成されている。このため、例えば、上下風向調整羽根３０が第２開状態である場合には、上下風向調整羽根３０は、室内機１０の正面視において、吹出口１５の第１部分１６に相当する開口面に対して左上がりに傾斜している。
【０１９１】
これに代えて、室内機の前部、すなわち、室内機の正面側に吹出口が形成されていてもよい。この場合、室内機の下面視において、上下風向調整羽根が吹出口の開口面に対して左右方向に傾斜して配置されるように、迫り出し機構によって第１連結部が移動されてもよい。
【０１９２】
（Ｄ）
上記実施形態では、支持軸５７の端部が屈曲した形状を呈している。
【０１９３】
これに代えて、支持軸の端部が球状であってもよい。
【０１９４】
例えば、図２４に示すように、その端部１５７ａが球状である支持軸１５７によって上下風向調整羽根３０が支持されている場合について説明する。なお、本変形例では、第１連結部１３２および支持軸１５７以外の構成については上記実施形態と同様の構成であるため説明を省略し、図２４には第１連結部１３２および支持軸１５７以外の部材については上記実施形態の部材と同様の符号を付している。
【０１９５】
第１連結部１３２は、第１部分１３２ａと第２部分１３２ｂとから構成されている。第１部分１３２ａと第２部分１３２ｂとは、支持軸１５７の挿通方向に並んで配置されている。また、第１部分１３２ａおよび第２部分１３２ｂは、図２４に示すように、軸支部１３５，１３６を含む。各軸支部１３５，１３６は、支持軸１５７を回転可能に支持している。また、第１部分１３２ａの軸支部１３５の軸受面１３５ａは、支持軸１５７の端部１５７ａを中心に水平方向に交差する方向への支持軸１５７の移動を許容するテーパ形状を有している。また、第２部分１３２ｂの軸支部１３６は、軸受面１３６ａとして、支持軸１５７の球状の端部１５７ａの外周面に対応した球状凹面部を有している。このため、第１部分１３２ａの軸受面１３５ａの一部および第２部分１３２ｂの軸受面１３６ａが支持軸１５７に当接することで、端部１５７ａを中心に水平方向に交差する方向に摺動自在に支持軸１５７を支持することができる。
【０１９６】
このように、軸支部１３５，１３６が調心機能を有している場合には、上下風向調整羽根３０の前後方向への傾斜、および、上下風向調整羽根３０の左右方向の傾斜に対応することができる。
【０１９７】
（Ｅ）
上記実施形態では、上下風向調整羽根３０の状態に応じて、制御部８４によって垂直羽根の駆動が制御されている。
【０１９８】
これに代えて、垂直羽根を、左右方向に揺動させるか、もしくは、所定の状態で停止させるかを空調対象者が設定できるようにしてもよい。
【産業上の利用可能性】
【０１９９】
本発明は、室内機の側方に空気を吹き出させることができるため、空気調和機への適用が有効である。
【符号の説明】
【０２００】
１０      室内機
１１      室内機本体（本体）
１２      室内機ケーシング（ケーシング）
１５      吹出口
３０      上下風向調整羽根（上下風向調整板）
３０ｃａ  端点／第１端点（前端）
３０ｃｂ  端点／第２端点（前端）
３０ｄａ  端点／第３端点（後端）
３０ｄｂ  端点／第４端点（後端）
３０ｇ    左側端部
３０ｈ    右側端部
３２      第１連結部／左側第１連結部（連結部／第１連結部）
３３      第１連結部／右側第１連結部（連結部／第２連結部）
３４      第２連結部（第３連結部）
５０      第１機構（姿勢変更機構）
５１      迫り出し機構／第１迫り出し機構（移動機構／第１移動機構）
５４      迫り出し機構駆動用モータ（駆動源／第１駆動源）
５７      支持軸（被移動部材／第１被移動部材）
６１      迫り出し機構／第２迫り出し機構（移動機構／第２移動機構）
６４      迫り出し機構駆動用モータ（駆動源／第２駆動源）
６７      支持軸（被移動部材／第２被移動部材）
７１      角度調整機構（第３移動機構）
８５      駆動制御部（制御部）
【先行技術文献】
【特許文献】
【０２０１】
【特許文献１】特開２００８−３９２５２号公報
【図１】
2011058793.tif 000003
【図２】
2011058793.tif 000004
【図３】
2011058793.tif 000005
【図４】
2011058793.tif 000006
【図５】
2011058793.tif 000007
【図６】
2011058793.tif 000008
【図７】
2011058793.tif 000009
【図８】
2011058793.tif 000010
【図９】
2011058793.tif 000011
【図１０】
2011058793.tif 000012
【図１１】
2011058793.tif 000013
【図１２】
2011058793.tif 000014
【図１３】
2011058793.tif 000015
【図１４】
2011058793.tif 000016
【図１５】
2011058793.tif 000017
【図１６】
2011058793.tif 000018
【図１７】
2011058793.tif 000019
【図１８】
2011058793.tif 000020
【図１９】
2011058793.tif 000021
【図２０】
2011058793.tif 000022
【図２１】
2011058793.tif 000023
【図２２】
2011058793.tif 000024
【図２３】
2011058793.tif 000025
【図２４】
2011058793.tif 000026